(57)【要約】【課題】その乳汁中にＣ１インヒビターを発現するトランスジェニック非ヒト哺乳動物を提供する。【解決手段】本発明は、その乳汁中にＣ１インヒビターを発現するトランスジェニック非ヒト哺乳動物を提供する。Ｃ１インヒビターは、遺伝性血管性浮腫を有する患者または免疫抑制を必要とする患者を処置するのに有用である。本発明のトランスジェニック非ヒト哺乳動物は、乳腺細胞中に、ＤＮＡセグメントの発現を促進するのに効果的な少なくとも１つの調節配列に作動可能に連結されたＣ１インヒビターをコードする組換えＤＮＡセグメントを含む導入遺伝子を有し、そして乳分泌細胞中にシグナルペプチドを機能的にコードするセグメントを有する。【選択図】なし【特許請求の範囲】
【請求項１】
非ヒト哺乳動物であって、該非ヒト哺乳動物は、以下：
該哺乳動物に対して異種のＣ１インヒビターをコードするＤＮＡセグメントであって、該哺乳動物の乳腺細胞における該ＤＮＡセグメントの発現を促進させるのに効果的な少なくとも１つの調節配列に対して作動可能に連結されている、ＤＮＡセグメント、および該哺乳動物の乳房細胞において機能するシグナルペプチドをコードするセグメント、
を含み；
ここで、該Ｃ１インヒビターをコードするＤＮＡセグメントが、該哺乳動物の成体形またはその雌の子孫の該乳腺細胞において発現されて、該非ヒト哺乳動物の乳汁中にＣ１インヒビターを産生し得る、
非ヒト哺乳動物。
【請求項２】
前記乳汁中の前記Ｃ１インヒビターの濃度が、少なくとも１ｍｇ／ｍｌである、請求項１に記載の非ヒト哺乳動物。
【請求項３】
前記Ｃ１インヒビターがヒトＣ１インヒビターである、請求項１に記載の非ヒト哺乳動物。
【請求項４】
前記非ヒト哺乳動物が、マウス、ウサギ、ヤギ、ヒツジ、ブタ、またはウシである、請求項１に記載の非ヒト哺乳動物。
【請求項５】
前記組換えＤＮＡセグメントがｃＤＮＡである、請求項４に記載の非ヒト哺乳動物。
【請求項６】
前記組換えＤＮＡセグメントがゲノムである、請求項４に記載の非ヒト哺乳動物。
【請求項７】
前記組換えＤＮＡセグメントが、ｃＤＮＡ−ゲノムハイブリッドである、請求項４に記載の非ヒト哺乳動物。
【請求項８】
前記シグナルペプチドが、Ｃ１インヒビターシグナルペプチドである、請求項１に記載の非ヒト哺乳動物。
【請求項９】
前記異種Ｃ１インヒビターをコードするＤＮＡセグメント、前記調節配列および前記シグナルペプチドをコードするセグメントが、前記哺乳動物の生殖細胞系中に挿入される、請求項１に記載の非ヒト哺乳動物。
【請求項１０】
Ｃ１インヒビターを提供する方法であって、該方法は、以下：
請求項１に記載のトランスジェニック非ヒト哺乳動物の成体形またはその雌の子孫から乳汁を回収する工程、
を包含する、方法。
【請求項１１】
食品中に前記乳汁を組み込む工程
をさらに包含する、請求項１０に記載の方法。
【請求項１２】
前記乳汁から前記Ｃ１インヒビターを精製する工程
をさらに包含する、請求項１１に記載の方法。
【請求項１３】
前記Ｃ１インヒビターが、少なくとも９５％純粋である、請求項１２に記載の方法。
【請求項１４】
前記Ｃ１インヒビターを、静脈内投与、皮内投与、筋肉内投与または経口投与のための薬学的キャリアと混合する工程
をさらに包含する、請求項１３に記載の方法。
【発明の詳細な説明】
【技術分野】
【０００１】
（技術分野）
本発明は、組換え遺伝子および医薬の分野に存在し、そして治療分子としてのＣ１インヒビターの形質転換産生およびその使用（例えば、遺伝的な血管性水腫を罹患する患者または免疫抑制を要する患者における補充療法において）に関する。
【背景技術】
【０００２】
（発明の背景）
ヒトＣ１インヒビター（またＣ１エステラーゼインヒビターとしても公知）は、周知であり、そして同定された物質である。Ｃ１インヒビターは、セリンプロテアーゼインヒビターのスーパーファミリーに属し、そして補体系のＣ１ｒおよびＣ１ｓの唯一のインヒビターであり、そして接触系のＸＩＩａ因子およびカリクレインの主要なインヒビターである。さらに、Ｃ１インヒビターはまた、ＸＩ因子（組織型プラスミノゲン活性因子およびプラスミン）のような凝血および線維溶解系の他のセリンプロテアーゼを阻害する（Ｓｃｈａｐｉｒａ  Ｍ．ら、１９８５、Ｃｏｍｐｌｅｍｅｎｔ  ２：１１１／Ｄａｖｉｓ  Ａ．Ｅ．１９８８、Ａｎｎ．Ｒｅｖ．Ｉｍｍｕｎｏｌ、６：５９５）。
【０００３】
Ｃ１インヒビターは、染色体１１の単一遺伝子によってコードされ、かつ８のエキソンおよび７のイントロンからなる。この全体のゲノム配列は公知であり、そして５００のアミノ酸（２２のアミノ酸単一配列を含む）のタンパク質をコードする（Ｃａｒｔｅｒ  Ｐ．ら、１９９８、Ｅｕｒｏ．Ｊ．Ｂｉｏｃｈｅｍ、１７３；１６３）。血漿Ｃ１インヒビターは、およそ１０５ｋＤａの糖タンパク質であり、そして重度にグリコシル化され、その分子の質量の５０％までが炭水化物から構成される。
【０００４】
現在、高度にまたは部分的にのいずれかで精製される、ヒト血液から得られるＣ１インヒビターのみが、同じヨーロッパの国々で遺伝性血管性水腫の処置のために使用されそして認可される。これは、Ｃ１インヒビターの遺伝的欠損によって引き起こされ、血管透過性の局所的な増加によって生じる非常に限局性の上皮下の非圧痕水腫の発作によって特徴付けられる疾患である（Ｃｉｃａｒｄｉ  Ｍら、１９９８、Ｉｍｍｕｎｏｂｉｏｌ．１９９：３６６）。主に含まれるこれらの３つの部位は以下である：皮下組織（四肢、顔、生殖器、臀部）、腹部の器官および上部気道（喉頭）。腸管粘膜の腫脹は、非常に痛いものであり得、そして喉頭の水腫は、生命にかかわる事態である。
【０００５】
アンドロゲンまたは線維溶解因子を使用する予防的治療を使用して、多くのそして深刻な発作を減少するが、これらは急性の発症には効果的ではなく、その上これらは長期間の治療には不適合な副作用を引き起こす。（Ｚｕｒｌｏら、１９９０、Ｆｅｒｔｉｌｉｔｙ
ａｎｄ  ｓｔｅｒｉｌｉｔｙ５４：６４）。
【０００６】
Ｃ１インヒビターの補充療法が、急性の発作の場合における処置のために試みられてきた。しかし、血漿から単離された生成物は、汚染の重大なリスクを引き起こす。現在使用されるＣ１インヒビターのこの血漿調製物は、蒸発処理されるか、または低温殺菌された生成物である。熱処理は、血液産生感染因子を除去するための予防である。ウイルスの除去／不活化のための予防をするけれども、例えばＨＩＶおよび肝炎のようなウイルスの伝播のリスクはまだ存在する（Ｄｅ  Ｆｉｌｉｐｐｉ  Ｆ．ら、１９９８、Ｔｒａｎｓｆｕｓｉｏｎ  ３８：３０７）。安全問題に加えて、精製された血漿Ｃ１インヒビターの有効性の欠如ならびに関連する高いコストが不利益である。
【０００７】
組換えＤＮＡ技術を介した、ＣＯＳまたはＣＨＯ細胞中での機能的Ｃ１インヒビターの産生が報告された（例えば、Ｅｌｄｅｒｉｎｇ  Ｅ．ら、１９８８、Ｊ．Ｂｉｏｌ．Ｃｈｅｍ．２６３：１１７７６を参照のこと）。しかし、μｇ／ｍｌ範囲の、報告された収量は、治療的適用にはあまりに少ない。微生物中におけるＣ１インヒビターの発現は、機能的インヒビターの正しい翻訳後の改変という結果になることを期待しないし、そして気付く限り試みられていない。
【発明の概要】
【課題を解決するための手段】
【０００８】
（発明の要旨）
１つの局面において、本発明は、トランスジェニック非ヒト哺乳動物発現Ｃ１インヒビターをその乳汁中に提供する。このような哺乳動物は、トランスジェニック非ヒト哺乳動物の乳腺細胞中に、ＤＮＡセグメントの発現を促進するのに効果的な少なくとも１つの調節配列に作動可能に連結されたＣ１インヒビターをコードする組換えＤＮＡセグメントを含む導入遺伝子を有し、そしてトランスジェニック非ヒト哺乳動物の乳分泌細胞中にシグナルペプチドを機能的にコードするセグメントを有する。非ヒト哺乳動物の成体形または非ヒト哺乳動物の雌子孫において、この導入遺伝子は、乳房細胞中に組換えＤＮＡセグメントを発現し、乳分泌細胞によって非ヒトトランスジェニック哺乳動物の乳汁中に分泌される形態のＣ１インヒビターを産生し得る。このＣ１インヒビターは、好ましくはヒトであり、そして好ましくは乳汁中に少なくとも１ｍｇ／ｍｌの濃度で発現される。
【０００９】
本発明はまた、Ｃ１インヒビターを提供する方法に関する。このような方法は、トランスジェニック非ヒト哺乳動物の成体形または項目１に記載の雌子孫から乳汁を回収する工程を伴う。必要に応じて、このＣ１インヒビターは、さらに乳汁から精製され得る。いくつかの方法において、このＣ１インヒビターは薬学的組成物として、薬学的キャリアと共に処方される。
【００１０】
本発明はさらに、ヒトＣ１インヒビターを含む非ヒト動物由来の乳汁を提供する。このＣ１インヒビターは、好ましくは少なくとも１ｍｇ／ｍｌの濃度、および少なくとも０．９の機能的指数（ｆｕｎｃｔｉｏｎａｌｉｔｙ  ｉｎｄｅｘ）を有する。
【００１１】
本発明はさらに、Ｃ１インヒビターおよび薬学的キャリアを含む薬学的組成物を提供する。このＣ１インヒビターは乳汁または他の供給源から得られ得る。いくつかのこのような組成物において、このヒトＣ１インヒビターは他のヒトタンパク質を有さない。いくつかの組成物において、このヒトＣ１インヒビターは少なくとも９８％または９９％（ｗ／ｗ）純粋である。
【００１２】
本発明はまた、上記の組成物を使用して、Ｃ１インヒビター欠損症に罹患しているか、または感受性のある患者を処置する方法を提供する。
【００１３】
別の局面において、本発明は、Ｃ１インヒビター欠損症に罹患しているか、または感受性のある患者の処置のための医薬品の製造において、精製されたヒトＣ１インヒビターの使用を提供する。いくつかの使用において、ヒトＣ１インヒビターは、他のヒトタンパク質を有さず、そしていくつかの方法において、このヒトＣ１インヒビターは少なくとも９８％または９９％純粋である。
【００１４】
本発明はさらに、ヒトＣ１インヒビターを精製する方法を提供する。このような方法は、ヒトＣ１インヒビターを含むサンプルを、陽イオン交換カラムに、このヒトＣ１インヒビターがカラムに結合する条件化で充填する工程を伴う。次いでヒトＣ１インヒビターは、陽イオン交換カラムから溶出される。この溶出物は、陰イオン交換カラムに、このヒトＣ１インヒビターがカラムに結合する条件化で充填される。次いでヒトＣ１インヒビターは、陰イオン交換カラムから溶出される。この溶出物は、金属イオン交換カラムに、残留する混入タンパク質がカラムに結合する条件化で充填される。次いでヒトＣ１インヒビターを含む溶出物は、金属イオン交換カラムから収集される。上記の方法は、ウサギまたは他の非ヒトＣ１インヒビターからヒトＣ１インヒビターを分離するために、特に適切である。
本発明は例えば、以下の項目を提供する：
（項目１）非ヒト哺乳動物であって、該非ヒト哺乳動物は、以下：
該哺乳動物に対して異種のＣ１インヒビターをコードするＤＮＡセグメントであって、該哺乳動物の乳腺細胞における該ＤＮＡセグメントの発現を促進させるのに効果的な少なくとも１つの調節配列に対して作動可能に連結されている、ＤＮＡセグメント、および該哺乳動物の乳房細胞において機能するシグナルペプチドをコードするセグメント、を含み；
ここで、該Ｃ１インヒビターをコードするＤＮＡセグメントが、該哺乳動物の成体形またはその雌の子孫の乳腺細胞において発現されて、該非ヒト哺乳動物の乳汁中にＣ１インヒビターを産生し得る、非ヒト哺乳動物。
（項目２）前記乳汁中の前記Ｃ１インヒビターの濃度が、少なくとも１ｍｇ／ｍｌである、項目１に記載の非ヒト哺乳動物。
（項目３）前記Ｃ１インヒビターがヒトＣ１インヒビターである、項目１に記載の非ヒト哺乳動物。
（項目４）前記非ヒト哺乳動物が、マウス、ウサギ、ヤギ、ヒツジ、ブタ、またはウシである、項目１に記載の非ヒト哺乳動物。
（項目５）前記組換えＤＮＡセグメントがｃＤＮＡである、項目４に記載の非ヒト哺乳動物。
（項目６）前記組換えＤＮＡセグメントがゲノムである、項目４に記載の非ヒト哺乳動物。
（項目７）前記組換えＤＮＡセグメントが、ｃＤＮＡ−ゲノムハイブリッドである、項目４に記載の非ヒト哺乳動物。
（項目８）前記シグナルペプチドが、Ｃ１インヒビターシグナルペプチドである、項目１に記載の非ヒト哺乳動物。
（項目９）前記異種Ｃ１インヒビターをコードするＤＮＡセグメント、前記調節配列および前記シグナルペプチドをコードするセグメントが、前記哺乳動物の生殖細胞系中に挿入される、項目１に記載の非ヒト哺乳動物。
（項目１０）Ｃ１インヒビターを提供する方法であって、該方法は、以下：
項目１に記載のトランスジェニック非ヒト哺乳動物の成体形またはその雌の子孫から乳汁を回収する工程、
を包含する、方法。
（項目１１）食品中に前記乳汁を組み込む工程をさらに包含する、項目１０に記載の方法。
（項目１２）前記乳汁から前記Ｃ１インヒビターを精製する工程をさらに包含する、項目１１に記載の方法。
（項目１３）前記Ｃ１インヒビターが、少なくとも９５％純粋である、項目１２に記載の方法。
（項目１４）前記Ｃ１インヒビターを、静脈内投与、皮内投与、筋肉内投与または経口投与のための薬学的キャリアと混合する工程をさらに包含する、項目１３に記載の方法。
（項目１５）ヒトＣ１インヒビターを含む非ヒト哺乳動物由来の乳汁。
（項目１６）前記Ｃ１インヒビタータンパク質の濃度が、少なくとも１ｍｇ／ｍｌである、項目１５に記載の乳汁。
（項目１７）前記Ｃ１インヒビターが少なくとも０．９の機能性指数を有する、項目１６に記載の乳汁。
（項目１８）項目１２に記載の方法によって産生されるＣ１インヒビター。
（項目１９）前記Ｃ１インヒビターが、ヒトＣ１インヒビターであってそして他のヒトタンパク質を含まない、項目１８に記載のＣ１インヒビター。
（項目２０）項目１９に記載のＣ１インヒビターおよび薬学的キャリアを含む、薬学的組成物。
（項目２１）前記薬学的キャリアが、静脈内投与のためである、項目２０に記載の薬学的組成物。
（項目２２）前記薬学的組成物が、滅菌されており、実質的に等張であり、そしてＧＭＰ条件下で産生される、項目２１に記載の薬学的組成物。
（項目２３）Ｃ１インヒビター欠損症に罹患しているかまたは感受性のある患者を処置する方法であって、該方法は、項目１に従って産生されたＣ１インヒビターの有効量および薬学的受容可能な組成物を患者に投与する工程を包含する、方法。
（項目２４）ヒトＣ１インヒビターを精製する方法であって、該方法は、以下：
該ヒトＣ１インヒビターが陽イオン交換カラムに結合する条件下で、該陽イオン交換カラムに該ヒトＣ１インヒビターを含むサンプルをロードする工程；
該陽イオン交換カラムから該ヒトＣ１インヒビターを溶出する工程；
該ヒトＣ１インヒビターが陰イオン交換カラムに結合する条件下で、該陰イオン交換カラムに該溶出液をロードする工程；
該陰イオン交換カラムから該ヒトＣ１インヒビターを溶出する工程；
残留する混入タンパク質が金属イオン交換カラムに結合する条件下で、該金属イオン交換カラムに該溶出液をロードする工程；
該金属イオン交換カラムから該ヒトＣ１インヒビターを含む溶出液を収集する工程、
を包含する、方法。
（項目２５）前記サンプルがウサギＣ１インヒビターをさらに含み；そして、前記金属イオン交換カラムからの前記溶出液が、該サンプルよりも、ウサギＣ１インヒビターに対するヒトＣ１インヒビターのより高い比率を有する、項目２４に記載の方法。
（項目２６）前記比率が少なくとも５００：１である、項目２５に記載の方法。
（項目２７）他のヒトタンパク質を含まないヒトＣ１インヒビターを含む、薬学的組成物。
（項目２８）少なくとも９８％ｗ／ｗ純粋であるヒトＣ１インヒビターを含む、薬学的組成物。
（項目２９）滅菌されている、項目２７または項目２８に記載の薬学的組成物。
（項目３０）Ｃ１インヒビター欠損症に罹患しているかまたは感受性のある患者を処置するための方法であって、該方法は、項目２７〜項目２９のいずれか１項に記載の組成物の有効量を該患者に投与する工程を包含する、方法。
（項目３１）Ｃ１インヒビター欠損症に罹患しているかまたは感受性のある患者の処置のための医薬の製造における、非ヒトタンパク質を含まないヒトＣ１インヒビターの使用。（項目３２）Ｃ１インヒビター欠損症に罹患しているかまたは感受性のある患者の処置のための医薬の製造における、少なくとも９８％ｗ／ｗ純粋であるヒトＣ１インヒビターの使用。
【図面の簡単な説明】
【００１５】
【図１ａ】図１ａは、マイクロインジェクションに使用された２つの重複フラグメントの略図の提示である。ウシαＳ１−カゼインプロモーターフラグメントが黒の棒で示され、Ｃ１インヒビターエキソンが灰色の棒で示され、そしてＣ１インヒビターイントロンおよび隣接配列が細い黒の線で示される。組換えの部位（重複）は十字で示される。３’隣接領域のＥｃｏＲＩ部位がどこにあるかは、分かっていない。
【図１ｂ】図１ｂは、マイクロインジェクションに使用された単一ゲノムフラグメントの略図の提示である。
【発明を実施するための形態】
【００１６】
（定義）
用語「実質的に同一」または「実質的に相同」とは、２つのペプチド配列が、必要に応じて整列する場合（例えば、ＧＡＰプログラムまたはデフォルトギャップウェイトを使用するＢＥＳＴＦＩＴによって）、少なくとも６５％の配列同一性、好ましくは少なくとも８０または９０％の配列同一性、より好ましくは少なくとも９５％の配列同一性、またはそれ以上（例えば９９％の配列同一性）を共有することを意味する。好ましくは、残基の位置は、同一でない場合、保存的アミノ酸置換によって相違する。
用語「実質的に純粋」または「単離された」とは、対象種が同定されそして分離され、および／またはその自然環境の成分（例えば、乳汁）、非ヒト組織培養細胞または天然供給源から回収されることを意味する。例えば、非ヒト細胞において組換え手法によって産生された、実質的に純粋または単離されたヒトＣ１インヒビターは、天然に存在する他のヒトタンパク質を有さない。通常、対象種は、現在の種に優勢であり（すなわち、組成物中で、モル基準で他の個々のいずれの種よりも豊富である）、そして好ましくは、実質的に精製された分画は組成物であり、ここで対象種は、存在する全ての高分子種の少なくとも約５０％（モル基準で）を含む。一般に、実質的に純粋な組成物は、組成物中に存在する全ての高分子種の約８０〜９０％重量より多くを含み、より好ましくは９０、９５、９９または９９．９％である。もっとも好ましくは、この対象種は精製され、本質的に均質であり（従来の検出方法によって組成物中に混入種は検出されない）、ここでこの組成物は本質的に単一高分子種の誘導体からなる。
【００１７】
ＤＮＡセグメントは、別のＤＮＡセグメントと機能的な関連性があるように配置される場合、作動可能に連結される。例えば、シグナル配列のＤＮＡが、ポリペプチドの分泌において関与するプレタンパク質として発現される場合、これはポリペプチドをコードするＤＮＡと作動可能に連結される；プロモーターまたはエンハンサーが配列の転写を刺激する場合、これはコードする配列と作動可能に連結する。一般に、作動可能に連結されるＤＮＡ配列は連続し、そしてシグナル配列が両方とも連続する場合であり、そしてリーディングフェーズ（ｒｅａｄｉｎｇ  ｐｈａｓｅ）である。しかし、エンハンサーは、その転写を制御する配列をコードする配列と連続する必要はない。連鎖は、便利な制限部位またはそれらの代わりに挿入されたアダプターもしくはリンカーで連結することによって達成される。
【００１８】
外因性ＤＮＡセグメントは、細胞に対して異種のものであり（例えば、この細胞とは異なる種由来）、または細胞のＤＮＡセグメントに対して同一であるが宿主細胞ゲノム中で不自然な位置にある。外因性ＤＮＡセグメントは、外因性ポリペプチドを収集するために発現される。
【００１９】
トランスジェニック哺乳動物において、生殖細胞系列細胞および体細胞の全て、または実質的に全ては、哺乳動物または初期胚段階の哺乳動物の祖先の中に導入される導入遺伝子を含む。
【００２０】
本発明はさらに、精製されたヒトＣ１インヒビターを含む薬学的組成物を提供する。いくつかのこのような組成物において、このヒトＣ１インヒビターは他のヒトタンパク質を含まない。いくつかの組成物において、このヒトＣ１インヒビターは、少なくとも９８％または９９％ｗ／ｗ純粋である。
【００２１】
本発明はまた、Ｃ１インヒビター欠損症に罹患しているか、または感受性のある患者を、上記の組成物を使用して処置する方法を提供する。
【００２２】
別の局面において、本発明は、Ｃ１インヒビター欠損症に罹患しているか、または感受性のある患者の処置のための医薬品の製造において、精製されたヒトＣ１インヒビターの使用を提供する。いくつかの使用において、ヒトＣ１インヒビターは、他のヒトタンパク質を有さず、そしていくつかの方法において、このヒトＣ１インヒビターは少なくとも９８％または９９％純粋である。
【００２３】
（詳細な説明）
本発明は、効果的でかつ安全な、トランスジェニック動物の乳汁中におけるＣ１インヒビターの産生、乳汁または他の供給源からのＣ１インヒビターの精製、およびそれらの治療的使用に関する。この応用によって提供される結果は、Ｃ１インヒビターは、非常に高濃度で乳汁中に、適切に折りたたまれ、かつ（酵素）阻害活性を付与するために翻訳後に改変された形態で産生され得る。血漿由来のＣ１インヒビターと比較して、トランスジェニック動物を介して産生されるＣ１インヒビターは、血液産生感染因子の伝染のリスクを有さない。トランスジェニック産物の産生のために使用される動物は、均一な集団であり、そして血漿ドナーよりもよく制御され得、それによってＣ１インヒビターの単離のためのより安全な開始点を提供する。これは臨床的使用にとって血漿産物よりもより安全なＣ１インヒビターの組換え形態を生成する。
【００２４】
本発明は、その乳汁中にＣ１インヒビターを分泌するトランスジェニック非ヒト哺乳動物を提供する。分泌は、Ｃ１インヒビターおよび乳腺に対して遺伝子の標的発現を可能にする少なくとも１つの調節配列をコードする導入遺伝子を組み込むことによって達成される。この導入遺伝子は発現され、そして乳腺中で翻訳後に改変され、次いで乳汁中に分泌される。
【００２５】
（Ａ．  Ｃ１インヒビター遺伝子）
Ｃ１インヒビターｃＤＮＡ配列は、２２アミノ酸シグナル配列を含む５００アミノ酸のタンパク質をコードすることが示された（Ｂｏｃｋら、１９８６，Ｂｉｏｃｈｅｍ．２５：４２９２−４３０１）。Ｃ１インヒビターのヒトゲノム配列の全体は公知であり、そしてこの遺伝子は７のイントロンを含むことが示される（Ｃａｒｔｅｒ  Ｐ．ら、１９８８、Ｅｕｒ．Ｊ．Ｂｉｏｃｈｅｍ．１７３：１６３）。この参考文献に記載される原形の配列の任意の改変体の対立遺伝子で、同族で、そして誘導されるこの改変体を発現するトランスジェニック哺乳動物は、本発明中に含まれる。このような改変体は通常、公知のＣ１インヒビター遺伝子とのアミノ酸レベルで、実質的な配列同一性を示す。このような改変体は通常、ストリンジェントな条件下で公知の遺伝子とハイブリダイズするか、または公知の遺伝子の１つによってコードされるポリペプチドに対する抗体と交差反応する。ゲノムおよびｃＤＮＡ配列の他の例は、ジーンバンクから入手可能である。Ｃ１インヒビター遺伝子のさらにクローン化された配列が必要とされる程度まで、これらは公知のＣ１インヒビター配列を使用して、ゲノムライブラリーまたはｃＤＮＡライブラリー（好ましくはヒト）から得られ得る。
【００２６】
（Ｃ．  導入遺伝子設計）
導入遺伝子は、導入遺伝子を保有するトランスジェニック非ヒト哺乳動物の乳腺に対して組換えＣ１インヒビターを発現を標的化するように設計される。この基本的なアプローチは、シグナル配列を有するタンパク質をコードする外因性ＤＮＡセグメントを、その外因性ＤＮＡセグメントの発現を促進するのに効果的な調節配列と作動可能に連結する工程を含む。代表的に、この調節配列は、プロモーターおよびエンハンサーを含む。このＤＮＡセグメントは、ゲノム、ミニジーン（１つ以上のイントロンが省略されたゲノム）、ｃＤＮＡ、ＹＡＣフラグメント、２つの異なるＣ１インヒビター遺伝子のキメラ、またはこれらの任意のハイブリッドであり得る。ゲノム配列を含むことは一般に、より高い発現レベルをもたらす。
【００２７】
ゲノム構築物において、全てのイントロン配列を保持する必要はない。例えば、いくつかのイントロン配列は、ＤＮＡ操作および続くマイクロインジェクションを促進する、より小さな導入遺伝子を得るために除去され得る。Ａｒｃｈｉｂａｌｄら、ＷＯ９０／０５１８８（全ての目的のために、その全体が参考として援用される）を参照のこと。いくつかのイントロンの除去はまた、いくつかの場合に発現レベルを増強するために有用である。翻訳後修飾が実質的に完全であることを保証するために発現レベルを減少する１つ以上のイントロンの除去も、また望ましくあり得る。いくつかまたは全ての非コードエキソンを削除することもまた可能である。いくつかの導入遺伝子において、Ｃ１インヒビターコード配列において選択されたヌクレオチドは、タンパク分解性切断部位を除去するように変異される。
【００２８】
トランスジェニック哺乳動物によって産生されたＣ１インヒビターの意図された使用は、通常はヒトへの投与なので、Ｃ１インヒビター配列をコードするＤＮＡセグメントが得られる種は、好ましくはヒトである。同様に、意図された使用が獣医学的治療における（例えば、ウマ、イヌまたはネコに対して）場合、そのＤＮＡセグメントは同じ種由来であることが好ましい。
【００２９】
プロモーターおよびエンハンサーのような調節配列は、排他的にかまたは少なくとも優先的に、乳腺中で発現される遺伝子（すなわち、乳腺特異的遺伝子）由来である。プロモーターおよびエンハンサーの供給源として好ましい遺伝子としては、β−カゼイン、κ−カゼイン、αＳ１−カゼイン、αＳ２−カゼイン、β−ラクトグロブリン、ホエー酸タンパク質およびα−ラクトアルブミンが挙げられる。このプロモーターおよびエンハンサーは、しかしいつもではないが通常は、同じ乳腺特異的遺伝子から得られる。好ましくはこの遺伝子は、導入遺伝子が発現されるべき哺乳動物と同じ種の哺乳動物に由来する。ヒト遺伝子由来の調節配列のような他の種由来の発現調節配列もまた、使用され得る。このシグナル配列は、乳腺由来のＣ１インヒビターの分泌を指向し得なければならない。適切なシグナル配列は、分泌タンパク質をコードする哺乳動物遺伝子由来であり得る。Ｃ１インヒビターの天然の、シグナル配列が適切である。このようなシグナル配列に加えて、シグナル配列の好ましい供給源は、このプロモーターおよびエンハンサーが得られるのと同じ遺伝子由来のシグナル配列である。必要に応じて、さらなる調節配列が、発現レベルを最適化するためにその導入遺伝子に含まれる。このような配列には、５’隣接領域、５’転写されるが翻訳されない領域、イントロン配列、３’転写されるが翻訳されない領域、ポリアデニル化部位、および３’隣接領域が挙げられる。このような配列は、通常は、プロモーターおよびエンハンサーが得られる乳腺特異的遺伝子か、または発現されるＣ１インヒビターのいずれかから得られる。このような配列の包含は、真正の乳腺特異的遺伝子の遺伝的環境および／または真正のＣ１インヒビター遺伝子の遺伝的環境を模倣する、遺伝的環境を産生する。この遺伝的環境は、いくつかの場合（例えば、ウシαＳ１−カゼイン）、転写遺伝子のより高い発現を生じる。あるいは、３’隣接領域および非翻訳領域は、他の異種遺伝子（例えば、β−グロブリン遺伝子またはウイルス遺伝子）から得られる。Ｃ１インヒビター遺伝子由来の３’非翻訳領域および５’非翻訳領域、または他の異種遺伝子を含むこともまた、転写産物の安定性を増大させ得る。
【００３０】
いくつかの実施形態において、乳房特異的遺伝子由来の約０．５ｋｂ、１ｋｂ、５ｋｂ、１０ｋｂ、１５ｋｂ、２０ｋｂまたは３０ｋｂの５’隣接配列が、発現されるＣ１インヒビター遺伝子由来の約１ｋｂ、５ｋｂ、１０ｋｂ、１５ｋｂ、２０ｋｂもしくは３０ｋｂの３’隣接配列と組み合わせて含まれる。このタンパク質がｃＤＮＡ配列から発現される場合、イントロン配列がプロモーターとコード配列との間に含まれることが有利である。イントロン配列は、好ましくは、プロモーターが得られる乳腺特異的領域の第１のイントロン由来の介在性配列由来の５’部分とＩｇＧ介在性配列またはＣ１インヒビター遺伝子の介在性配列由来の３’領域とから形成される、ハイブリッド配列である。ＤｅＢｏｅｒら、ＷＯ  ９１／０８２１６（全ての目的のためにその全体を参考として援用する）を参照のこと。Ｃ１インヒビターｃＤＮＡを発現させるための別の好ましい導入遺伝子は、ｐＢＣ１発現ベクターキット（Ｉｎｖｉｔｒｏｇｅｎ（Ｃａｒｌｓｂａｄ、ＣＡ）から市販される）に基づく。このｐＢＣ１ベクターは、ヤギβ−カゼインプロモーター、ならびにヤギβ−カゼイン遺伝子の部分（いくつかのエキソンおよびイントロンを含む）、ならびに３’非翻訳配列を含む。ｐＢＣ１の唯一のＸｈｏＩ挿入部位へのＣ１インヒビターｃＤＮＡの挿入は、ヤギβ−カゼインエキソン配列およびイントロン配列に隣接したＣ１インヒビターｃＤＮＡ配列を含むキメラＲＮＡを産生する。しかし、このキメラＲＮＡ分子の適切なスプライシングの際、Ｃ１インヒビターｃＤＮＡ配列のみが翻訳される。
【００３１】
ゲノム配列由来のＣ１インヒビタータンパク質を発現する好ましい導入遺伝子は、Ｃ１インヒビタータンパク質の発現を指向するのに十分な調節配列を含む５’αＳ１カゼインフラグメントに作動可能に連結された、全体のコード配列およびシグナルペプチドをコードするゲノムＣ１インヒビター配列、３’ＵＴＲおよび３’隣接配列を含む。
【００３２】
ＤＮＡ配列情報は、上記に列挙される乳腺特異的遺伝子の全てについて、少なくとも１つの生物、そしてしばしばいくつかの生物において、利用可能である。例えば、Ｒｉｃｈａｒｄｓら、Ｊ．  Ｂｉｏｌ．Ｃｈｅｍ．２５６，５２６−５３２（１９８１）（α−ラクトアルブミン  ラット）；Ｃａｍｐｂｅｌｌら、Ｎｕｃｌｅｉｃ  Ａｃｉｄｓ  Ｒｅｓ．１２，８６８５−８６９７（１９８４）（ラットＷＡＰ）；Ｊｏｎｅｓら、Ｊ．Ｂｉｏｌ．Ｃｈｅｍ．２６０，７０４２−７０５０（１９８５）（ラットβ−カゼイン）；Ｙｕ−ＬｅｅおよびＲｏｓｅｎ，Ｊ．Ｂｉｏｌ．Ｃｈｅｍ．２５８，１０７９４−１０８０４（１９８３）（ラットγ−カゼイン）；Ｈａｌｌ，Ｂｉｏｃｈｅｍ．Ｊ．２４２，７３５−７４２（１９８７）（α−ラクトアルブミン  ヒト）；Ｓｔｅｗａｒｔ，Ｎｕｃｌｅｉｃ  Ａｃｉｄｓ  Ｒｅｓ．１２，３８９（１９８４）（ウシのαｓ１カゼインｃＤＮＡおよびκカゼインｃＤＮＡ）；Ｇｏｒｏｄｅｔｓｋｙら、Ｇｅｎｅ６６，８７−９６（１９８８）（ウシβ−カゼイン）；Ａｌｅｘａｎｄｅｒら、Ｅｕｒ．  Ｊ．Ｂｉｏｃｈｅｍ．１７８，３９５−４０１（１９８８）（ウシκ−カゼイン）；Ｂｒｉｇｎｏｎら、ＦＥＢＳ  Ｌｅｔｔ．１８８，４８−５５（１９７７）（ウシαＳ２カゼイン）；Ｊａｍｉｅｓｏｎら、Ｇｅｎｅ６１，８５−９０（１９８７），Ｉｖａｎｏｖら、Ｂｉｏｌ．Ｃｈｅｍ．Ｈｏｐｐｅ−Ｓｅｙｌｅｒ  ３６９，４２５−４２９（１９８８），Ａｌｅｘａｎｄｅｒら、Ｎｕｃｌｅｉｃ  Ａｃｉｄｓ  Ｒｅｓ．１７，６７３９（１９８９）（ウシβラクトグロブリン）；Ｖｉｌｏｔｔｅら、Ｂｉｏｃｈｉｍｉｅ  ６９，６０９−６２０（１９８７）（ウシα−ラクトアルブミン）（全ての目的のためにその全体が参考として援用される）を参照のこと。種々の乳汁タンパク質遺伝子の構造および機能は、ＭｅｒｃｉｅｒおよびＶｉｌｏｔｔｅ，Ｊ．Ｄａｉｒｙ  Ｓｃｉ．７６，３０７９−３０９８（１９９３）（全ての目的のためにその全体が参考として援用される）により論評される。さらなる配列データが要求され得る程度まで、すでに得られた領域に隣接する配列は、存在する配列をプローブとして使用して容易にクローニングされ得る。異なる生物由来の乳腺特異的調節配列は、同様にこのような生物由来のライブラリーを、既知の同族のヌクレオチド配列を使用して、または同族のタンパク質に対する抗体をプローブとして使用してスクリーニングすることによって得られる。
【００３３】
乳腺に対して組換えタンパク質の発現を標的化するためにαＳ１−カゼイン調節配列を使用する一般的なストラテジーおよび例示的な導入遺伝子が、ＤｅＢｏｅｒら、ＷＯ  ９１／０８２１６およびＷＯ  ９３／２５５６７（全ての目的のためにその全体が参考として援用される）にさらに詳細に記載される。他の乳腺特異的遺伝子由来の調節配列を使用する導入遺伝子の例もまた記載される。例えば、Ｓｉｍｏｎら、Ｂｉｏ／Ｔｅｃｈｎｏｌｏｇｙ  ６，１７９−１８３（１９８８）およびＷＯ  ８８／００２３９（１９８８）（ヒツジにおける発現のためのβ−ラクトグロブリン調節配列）；Ｒｏｓｅｎ，ＥＰ  ２７９，５８２およびＬｅｅら、Ｎｕｃｌｅｉｃ  Ａｃｉｄｓ  Ｒｅｓ．１６，１０２７−１０４１（１９８８）（マウスにおける発現のためのβ−カゼイン調節配列）；Ｇｏｒｄｏｎ，Ｂｉｏｔｅｃｈｎｏｌｏｇｙ  ５，１１８３（１９８７）（マウスにおける発現のためのＷＡＰ調節配列）；ＷＯ  ８８／０１６４８（１９８８）およびＥｕｒ．Ｊ．Ｂｉｏｃｈｅｍ．１８６，４３−４８（１９８９）（マウスにおける発現のためのα−ラクトアルブミン調節配列）（全ての目的のためにその全体が参考として援用される）を参照のこと。
【００３４】
（Ｄ．  トランスジェネシス（ｔｒａｎｓｇｅｎｅｓｉｓ））
上記に記載される導入遺伝子は、非ヒト哺乳動物に導入される。ほとんどの非ヒト哺乳動物（マウスおよびラットなどのげっ歯類、ウサギ、ヒツジ（ｓｈｅｅｐ）などのヒツジ（ｏｖｉｎｅ）、ヤギ（ｇｏａｔ）などのヤギ（ｃａｐｒｉｎｅ）、ブタ（ｐｉｇ）などのブタ（ｐｏｒｃｉｎｅ）、ならびにウシ（ｃａｔｔｌｅ）およびバッファローなどのウシ（ｂｏｖｉｎｅ）を含む）が適切である。ウシ（ｂｏｖｉｎｅ）は、多大な収量の乳汁という利点を提供し、一方マウスはトランスジェネシスおよび繁殖の容易さという利点を提供する。ウサギはこれらの利点の妥協点を提供する。ウサギは、１日に１００ｍｌの乳汁（タンパク質濃度がおよそ１４％）を産生し得（Ｂｕｈｌｅｒら、Ｂｉｏ／Ｔｅｃｈｎｏｌｏｇｙ  ８，１４０（１９９０）（全ての目的のためにその全体が参考として援用される）を参照のこと）、そしてなお、マウスと同じ原理を使用し、そして同様の容易さで操作および繁殖させ得る。非胎生の哺乳動物（例えば、ハリモグラまたはカモノハシ）は、代表的には使用されない。
【００３５】
トランスジェネシスのいくつかの方法において、導入遺伝子は受精した卵母細胞の前核に導入される。いくつかの動物（例えば、マウスおよびウサギなど）において、受精はインビボで実行され、そして受精卵は外科的に取り出される。他の動物（特にウシ）において、生存動物または屠殺場の動物から卵子を取り出し、そしてインビトロでその卵子を受精することが好ましい。ＤｅＢｏｅｒら、ＷＯ  ９１／０８２１６を参照のこと。体外受精は、実質的に同調した細胞中に、組込みのための細胞周期の最適な期（Ｓ期より遅くない）で導入遺伝子を導入することを可能にする。導入遺伝子は通常マイクロインジェクションによって導入される。米国特許第４，８７３，２９２号を参照のこと。受精卵母細胞は、次いでインビトロで、約１６〜１５０細胞を含む着床前胚が得られるまで培養される。胚の１６〜３２細胞期は、桑実胚として記載される。３２個より多くの細胞を含む着床前胚は、胚盤胞と呼ばれる。これらの胚は、代表的に６４細胞期で、胞胚腔の発達を示す。受精卵母細胞を着床前期まで培養する方法は、Ｇｏｒｄｏｎら、Ｍｅｔｈｏｄｓ  Ｅｎｚｙｍｏｌ．１０１，４１４（１９８４）；Ｈｏｇａｎら、Ｍａｎｉｐｕｌａｔｉｏｎ  ｏｆ  ｔｈｅ  Ｍｏｕｓｅ  Ｅｍｂｒｙｏ：Ａ  Ｌａｂｏｒａｔｏｒｙ  Ｍａｎｕａｌ，Ｃ．Ｓ．Ｈ．Ｌ．Ｎ．Ｙ．（１９８６）（マウス胚）；Ｈａｍｍｅｒら、Ｎａｔｕｒｅ  ３１５，６８０（１９８５）（ウサギ胚およびブタ胚）；Ｇａｎｄｏｌｆｉら、Ｊ．Ｒｅｐｒｏｄ．Ｆｅｒｔ．８１，２３−２８（１９８７）；Ｒｅｘｒｏａｄら、Ｊ．Ａｎｉｍ．Ｓｃｉ．６６，９４７−９５３（１９８８）（ヒツジ胚）およびＥｙｅｓｔｏｎｅら、Ｊ．Ｒｅｐｒｏｄ．Ｆｅｒｔ．８５，７１５−７２０（１９８９）；Ｃａｍｏｕｓら、Ｊ．Ｒｅｐｒｏｄ．Ｆｅｒｔ．７２，７７９−７８５（１９８４）；およびＨｅｙｍａｎら、Ｔｈｅｒｉｏｇｅｎｏｌｏｇｙ  ２７，５９６８（１９８７）（ウシ胚）（全ての目的のためにその全体が参考として援用される）に記載される。ときどき、着床前胚は、移植を待つ期間の間、凍結して保存される。着床前胚は、偽妊娠雌の卵管に移され、導入遺伝子が組み込まれる場合、発生の段階に依存してトランスジェニック動物またはキメラ動物の誕生を生じる。キメラ動物は、真の生殖細胞系列トランスジェニック動物を形成するように繁殖され得る。
【００３６】
あるいは、導入遺伝子は、胚性幹細胞（ＥＳ）に導入され得る。これらの細胞は、インビトロで培養した着床前胚から得られる。Ｂｒａｄｌｅｙら、Ｎａｔｕｒｅ  ３０９，２５５−２５８（１９８４）（全ての目的のためにその全体が参考として援用される）。導入遺伝子は、このような細胞中にエレクトロポレーションまたはマイクロインジェクションによって導入され得る。ＥＳ細胞は、特定の染色体位置に相同組換えを介して導入遺伝子を導入するのに適切である。例えば、Ｃ１インヒビターをコードする導入遺伝子は、乳腺においてコード配列の発現を指向し得る内因性調節配列にその導入遺伝子が作動可能に連結するゲノム位置に、導入され得る。形質転換したＥＳ細胞は、非ヒト動物由来の胚盤胞と合わせられる。このＥＳ細胞は、胚にコロニー形成するか、または生じるキメラ動物の生殖細胞系列を形成するかもしくはこの生殖細胞系列に寄与する。Ｊａｅｎｉｓｃｈ，Ｓｃｉｅｎｃｅ，２４０，１４６８−１４７４（１９８８）（全ての目的のためにその全体が参考として援用される）を参照のこと。あるいはＥＳ細胞は、除核した受精卵母細胞中に移植するための核の供給源として使用され、トランスジェニック動物を生じ得る。
【００３７】
さらなる実施形態において、Ｃ１インヒビターを発現し得る導入遺伝子を含むトランスジェニック動物（好ましくは非ヒト哺乳動物）は、核移植を含む方法によって産生される。種々の型の細胞が、卵母細胞中に移植される核のドナーとして使用され得る。ドナー細胞は、Ｃ１インヒビター導入遺伝子を含むトランスジェニック動物の全ての組織（例えば成体、胎仔または胚細胞など）から、分化の種々の段階（未分化から完全に分化した範囲）で、種々の細胞周期の期（例えば、静止期および増殖期の両方）で得られ得、そして体細胞組織または生殖細胞系組織のいずれかから得られ得る（ＷＯ  ９７／０７６６９、ＷＯ９８／３０６８３およびＷＯ  ９８／３９４１６、（それぞれ全ての目的のためにその全体が参考として援用される）を参照のこと）。あるいはドナー核は、Ｃ１インヒビター導入遺伝子がリン酸カルシウムトランスフェクション、マイクロインジェクション、またはリポフェクションなどの従来の方法を使用して導入され、そして続いて導入遺伝子の存在または導入遺伝子の特異的組込みについて選択されまたはスクリーニングされた、インビトロで培養された、細胞から得られる（ＷＯ  ９８／３７１８３およびＷＯ  ９８／３９４１６（それぞれ全ての目的のためにその全体が参考として援用される）を参照のこと）。ドナー核は、卵母細胞中に電気的または化学的に誘導された融合を用いて導入されるか、（ＷＯ  ９７／０７６６９、ＷＯ  ９８／３０６８３およびＷＯ  ９８／３９４１６のいずれか１つを参照のこと）、またはマイクロインジェクションによって導入される（ＷＯ  ９９／３７１４３を参照のこと（全ての目的のためにその全体が参考として援用される））。移植された卵母細胞は、続いて胚に発達するまで培養され、この胚は続いて偽妊娠雌動物の卵管に移植され、トランスジェニック子孫の誕生をもたらす（ＷＯ  ９７／０７６６９、ＷＯ  ９８／３０６８３およびＷＯ  ９８／３９４１６のいずれか１つを参照のこと）。
【００３８】
トランスジェネシスの別の方法は、所望の導入遺伝子を導入するために（レトロ）ウイルスベースのベクターを使用する。このようなベクターの例としては、Ｙｅｅら（１９９４，Ｍｅｔｈ．Ｃｅｌｌ．Ｂｉｏｌ．４３：９９−１１２（全ての目的のためにその全体が参考として援用される））によって記載される水疱性口内炎ウイルスＧ糖タンパク質（ＶＳＧ−Ｇ）ＭｏＭＬＶ由来レトロウイルスベクター（ＶＳＶ−Ｇ偽型（ｐｓｅｕｄｏｔｙｐｅ））が挙げられる。受精前の第二減数分裂の第ＩＩ中期で静止された非ヒト哺乳動物（好ましくはウシ）卵母細胞が、Ｃｈａｎら（１９９８，Ｐｒｏｃ．Ｎａｔｌ．Ａｃａｄ．Ｓｃｉ．ＵＳＡ  ９５：１４０２８−１４０３３（全ての目的のためにその全体が参考として援用される））によって記載されるようなＶＳＶ−Ｇ偽型ベクターに感染され、トランスジェニック子孫が産生される。あるいは、遺伝的に改変された動物を作製する代わりに、制限された器官（好ましくは乳腺）が、薬学的タンパク質を生成する目的のためにレトロウイルス感染によって形質転換される。Ｃ１インヒビターをコードする配列を保有するレトロウイルスベクターを非ヒト乳腺中に注入して、乳上皮細胞に感染させることは、これらの動物の乳汁中でのＣ１インヒビタータンパク質の産生を可能にする（Ａｒｃｈｅｒら、１９９４、Ｐｒｏｃ．Ｎａｔｌ．Ａｃａｄ．Ｓｃｉ．ＵＳＡ  ９１：６８４０−６８４４（全ての目的のためにその全体が参考として援用される））。
【００３９】
２つ以上の導入遺伝子を含むトランスジェニック動物の産生のために、この導入遺伝子は、単一の導入遺伝子についてと同じ手順を使用して、同時に導入され得る。あるいは、この導入遺伝子は、最初に別々の動物に導入され得、次いでこの動物を繁殖することによって同じゲノム中に合わせ得る。あるいは、第１のトランスジェニック動物が、それらの導入遺伝子のうちの１つを含むように産生される。次いで、第２の導入遺伝子がその動物由来の受精卵または胚性幹細胞中に導入される。いくつかの実施形態において、他の方法では長さが約５０ｋｂを超える導入遺伝子は、重複するフラグメントとして構築される。このような重複フラグメントは、受精卵母細胞または胚性幹細胞に同時に導入され、そしてインビボで相同組換えを受ける。Ｋａｙら、ＷＯ  ９２／０３９１７（全ての目的のためにその全体が参考として援用される）を参照のこと。
【００４０】
（Ｅ．トランスジェニック哺乳動物の特徴）
本発明のトランスジェニック哺乳動物は、上記のように、少なくとも１つの導入遺伝子をこれらのゲノム中に組み込んでいる。ある細胞分裂期での導入遺伝子の導入は、通常、生殖細胞系細胞および体細胞の実質的に全てが、これらのゲノム中に導入遺伝子を含む（体性変異を起こした少数の細胞の考えられ得る例外を伴う）トランスジェニック動物およびこれらの動物の子孫を生じる。後期での導入遺伝子の導入は、モザイク動物またはキメラ動物を引き起こす。しかし、これらの動物の生殖細胞系に導入遺伝子を組み込んでいるいくつかのこのような動物を繁殖して、体細胞および生殖細胞系細胞の実質的に全てが導入遺伝子を含むトランスジェニックを産生し得る。乳腺細胞のウイルスのトランスジェネシス（ｖｉｒａｌ  ｔｒａｎｓｇｅｎｅｓｉｓ）は、通常、導入遺伝子が乳腺細胞中にのみ存在するトランスジェニック哺乳動物を生じる。このような哺乳動物は、次世代へその生殖細胞系を伝えない。導入遺伝子は、少なくとも乳腺に対して優勢にＣ１インヒビタータンパク質をコードするＤＮＡセグメントの発現を標的化する。Ｃ１インヒビターは、少なくとも１００μｇ／ｍｌ、５００μｇ／ｍｌ、１０００μｇ／ｍｌ、２０００μｇ／ｍｌ、５０００μｇ／ｍｌ、１０，０００μｇ／ｍｌ、２０，０００μｇ／ｍｌ、または５０，０００μｇ／ｍｌの高レベルで分泌され得る。驚いたことに、本発明のトランスジェニック哺乳動物は、実質的に正常な健康状態を示す。乳腺以外の組織におけるＣ１インヒビタータンパク質の２次発現は、有害な作用を引き起こすのに十分な程度まで生じない。さらに、外因性Ｃ１インヒビタータンパク質は、分泌機構を目詰まりさせる沈着物によって提示されるいかなる問題もなしに、十分有効に乳腺から分泌される。
【００４１】
トランスジェニック哺乳動物が乳汁を産生し始め得る年齢は、当然のことながら、その動物の性質によって変化する。トランスジェニックウシに関して、その年齢は、天然ではおよそ２歳半、またはホルモン刺激を用いて６ヶ月であるのに対して、トランスジェニックマウスに関しては、その年齢は、約９〜１１週間である。当然のことながら、種の雌メンバーのみが、乳汁を産生するのに有用である。しかし、トランスジェニック雄もまた、雌の子孫を繁殖させるために価値がある。トランスジェニック雄由来の精子を、以後のインビトロでの受精および雌の子孫の発生のために凍結保存し得る。
【００４２】
（Ｆ．乳汁または他の供給源からのタンパク質の回収）
トランスジェニック成体雌性哺乳動物は、高濃度の外因性Ｃ１インヒビタータンパク質を含む乳汁を産生する。乳汁からのＣ１インヒビターの精製は、遠心分離および脂肪の除去によるトランスジェニックの乳汁の脱脂、次いで、高速遠心分離に続く全量ろ過（すなわち、フィルターサイズを首尾良く減少させて用いることによる全量ろ過）もしくはクロスフロー（ｃｒｏｓｓ−ｆｌｏｗ）ろ過によるカゼインの除去；またはクロスろ過による直接的なカゼイン（ｃａｓｉｎｏｓ）の除去によって実施され得る。このタンパク質は、所望の場合、その特徴的な物理学的性質および化学的性質によって乳汁から精製され得る（一般に、Ｓｃｏｐｅｓ，Ｐｒｏｔｅｉｎ  Ｐｕｒｉｆｉｃａｔｉｏｎ（Ｓｐｒｉｎｇｅｒ−Ｖｅｒｌａｇ，Ｎ．Ｙ．，１９８２）Ｐｒｏｇｒａｉｓら，（１９８５）Ｊ．Ｍｅｄｉｃｉｎｅ  １６（１−３）：３０３−３５０；Ｐｉｌａｔｔｅら，（１９８９）Ｊ．Ｉｍｍｕｎｏｌ．Ｍｅｔｈｏｄｓ  １２０：３７−４３，Ｒｅｂｏｕｌら，（１９７７）Ｆｅｂｓ  Ｌｅｔｔ．７９：４５−５０，Ａｌｓｅｎｚら，（１９８７）Ｊ．Ｉｍｍｕｎｏｌ．Ｍｅｔｈｏｄｓ  ９６：１０７−１１４，Ｉｓｈｉｚａｋｉら，（１９７７）Ｊ．Ｂｉｏｃｈｅｍ．８２：１１５５−１１６０を参照のこと）。この精製の条件は、好ましくは、非ヒトトランスジェニック哺乳動物の内因性Ｃ１インヒビターからヒトＣ１インヒビターを分離すべきである。
【００４３】
陽イオンクロマトグラフィー、陰イオンクロマトグラフィーおよび金属親和性クロマトグラフィーは全て、乳汁または他の供給源（例えば、組換え細胞培養物または天然の供給源）からのヒトＣ１インヒビタータンパク質の精製のために用いられ得る。いくつかの方法では、１つより多いこれらの工程が用いられ、そしていくつかの方法では３工程全てが用いられる。これらの工程を、任意の順序で実施し得るが、好ましい順序は、陽イオンクロマトグラフィーに続いて、陰イオンクロマトグラフィー、これに続いて、金属イオン親和性クロマトグラフィーを行う順序である。
【００４４】
陽イオンクロマトグラフィーを、例えば、セファロース（ＴＭ）の大きなビーズまたはカルボキシメチルセルロースを用いて実施し得る。低塩ローディング（ｌｏａｄｉｎｇ）緩衝液（例えば、２０ｍＭのクエン酸ナトリウム、０．０２Ｍの塩化ナトリウム）を用いる。ヒトＣ１インヒビターを、より高い塩濃度（例えば、２０ｍＭのクエン酸ナトリウム、０．２Ｍの塩化ナトリウム）で溶出し得る。次いで、ヒトＣ１インヒビターを含む溶出液を、陰イオンクロマトグラフィーに供する。
【００４５】
陰イオンカラムのマトリクスは、セルロース、デキストラン、アガロースまたはポリスチレンのような材料であり得る。リガンドは、ジエチルアミノエチル（ｅｉｔｈｙｌａｍｉｎｏｅｔｈｙｌ）（ＤＥＡＥ）、ポリエチレンイミン（ＰＥＩ）または４級アンモニウム官能基の例であり得る。陰イオン交換カラムの強度とは、そのリガンドのイオン化状態をいう。強イオン交換カラム（例えば、４級アンモニウムリガンドを有するカラム）は、常時正電荷を保有する。弱陰イオン交換カラム（例えば、ＤＥＡＥおよびＰＥＩ）において、正電荷の存在は、そのカラムのｐＨに依存する。陰イオン交換カラムは、一般に、ヒトＣ１インヒビター（  ）のｐＩを超えるｐＨの低塩緩衝液でロードされている。このカラムを低塩緩衝液で数回洗浄して結合していないタンパク質を溶出する。次いで、結合しているタンパク質を、増加させた塩濃度の緩衝液を用いて溶出する。ＱセファロースＦＦは、好ましい陰イオン交換カラムである。なぜなら、この材料は、他の陰イオン交換カラムと比べて比較的低価格であり、そして大規模な精製に適した比較的大きなビーズサイズを有している。特定の条件下で、ヒトＣ１インヒビターを、ウサギの乳汁中に見出されるウサギＣ１インヒビターまたは他のタンパク質を溶出することなくＱセファロースＦＦから溶出し得る。ＱセファロースＦＦへのヒト酸性αグルコシダーゼの良好な結合を得るために、このカラムを低塩（すなわち、５０ｍＭ未満、例えば、リン酸ナトリウム緩衝液）にて前平衡化する。この緩衝液のｐＨは、このカラムへのヒトＣ１インヒビターの良好な結合を得るために約７．０＋／−１．０であるべきである。次いで、ヒトＣ１インヒビターを、増加させた塩濃度で段階的溶出または勾配溶出によって溶出する。段階的溶出は、大規模な精製に、より従い易い。ほとんどのロードされたヒトＣ１インヒビターを、１工程にて（約０．２５Ｍの塩で）比較的高純度でＱＦＦカラムから溶出し得る。
【００４６】
金属親和性クロマトグラフィーを、マトリクス（例えば、セファロース（ＴＭ））および結合金属イオン（例えば、銅、亜鉛、ニッケル（ｎｉｃｈｏｌ）、コバルトまたはカルシウム）を用いて実施する。有機キレート剤群（例えば、イミノ二酢酸）もまた、使用し得る。このカラムを、比較的高濃度（例えば、０．２Ｍより高濃度）で存在する非キレート化塩（例えば、塩化ナトリウム）を用いて約６〜８のｐＨで平衡化する。これらの条件下で、残留している混入タンパク質が、このカラムに結合するのに対して、ヒトＣ１インヒビターは結合せず、容易に溶出され得る。
【００４７】
例示的な精製手順は、実施例の節において記載される。この手順は、Ｃ１インヒビターの調製物を提供し、このＣ１インヒビター調整物は、全ての混入物を考慮しても少なくとも９８％または９９％純粋（ｗ／ｗ）であり、そして、０．５％未満、０．１％未満または０．０５％未満のウサギＣ１インヒビター（ｗ／ｗ）を含有する。さらなる精製を好ましくは用いて、少なくとも９９％、好ましくは少なくとも９９．５％、より好ましくは９９．８％、そして最も好ましくは９９．９％の純度でのＣ１インヒビター調製物を得る。
【００４８】
（Ｇ．組換えＣ１インヒビターの使用）
乳汁または他の供給源から精製されたＣ１インヒビターは、遺伝性血管性浮腫（内因性機能的Ｃ１インヒビターの欠如または欠損によって特徴付けられる疾患）に羅患した患者において内因性Ｃ１インヒビターを置換するかまたは補完する用途を見い出す。機能的Ｃ１インヒビターの不足を生じる遺伝的欠損症または他の欠損症を有する患者を、この患者への外因性Ｃ１インヒビターの投与によって処置し得る。このような処置の必要な患者を、血管透過性の局所的漸増から生じる非陥凹性上皮下組織浮腫から同定し得る（Ｃｉｃａｒｄｉ  Ｍ．ら  １９９８，Ｉｍｍｕｎｏｂｉｏｌ．１９９：３６６）。主に関連した３つの部位としては、皮下組織（四肢、顔面、性器、臀部）、腹部器官および上部気道（喉頭）である。腹部の粘膜の腫脹は、非常に痛み得、そして喉頭浮腫は、生命に関わるような状態である。
【００４９】
あるいは、またはさらに、患者を生化学的分析により診断し得る。診断的アッセイは、しばしば血漿で実施され、そして、Ｃ１インヒビターの機能性アッセイおよび抗原性アッセイ、ならびに、補体成分のＣ４レベルおよびＣ２レベルの測定を包含する。補体成分のＣ４レベルおよびＣ２レベルは、血管性浮腫の発作の間、一般的に著しく減少し、そして時折発作の間も、より少ない程度ではあるが減少する。補体成分のＣ４レベルおよびＣ２レベルは、Ｃ１エステラーゼによってＣ４成分およびＣ２成分の進行中の活性化および消耗に起因して減少する。後天性血管性浮腫を有する患者において、補体成分のＣ１または補成分のＣ１ｑは、成分のＣ４レベルおよびＣ２レベルの次に、一般に減少する。遺伝性血管性浮腫の患者は、Ｉ型患者またはＩＩ型患者に区別され得る。より一般的なＩ型欠損症は、低いレベルの循環性Ｃ１インヒビター（冒された対立遺伝子の発現を無効にする遺伝的病変から生じる（Ｔｏｓｉ，Ｍ．，１９９８，Ｉｍｍｕｎｏｂｉｏｌ．１９９：３５８−３６５を参照のこと））によって特徴付けられる。Ｃ１インヒビター抗原の正常レベルを有するＩＩ型欠損症は、機能不全タンパク質の発現を生じる点変異によって主に引き起こされる（Ｃｏｍｐｌｅｍｅｎｔ  ｉｎ  ｈｅａｌｔｈ  ａｎｄ  ｄｉｓｅａｓｅ，第２版，Ｗｈａｌｅｙ，Ｌｏｏｓ  ａｎｄ  Ｗｅｉｌｅｒ編におけるＴｏｓｉ，Ｍ．，１９９２，「Ｍｏｌｅｃｕｌａｒ  ｇｅｎｅｔｉｃｓ  ｏｆ  Ｃ１  ｉｎｈｉｂｉｔｏｒ  ａｎｄ  ｈｅｒｅｄｉｔａｒｙ  ａｎｇｉｏｅｄｅｍａ」）。患者はまた、Ｃ１インヒビター遺伝子中の同型変異または異型変異を検出することによっても診断され得る。診断は、好ましくは、症状の発症前にＣ１インヒビターの欠損を検出することによってかまたはＤＮＡ分析によってなされる。遺伝性血管性浮腫に羅患するメンバーを有することが既知のファミリー由来の子孫において、時折、決定的な診断がなされ得る前であろうとも、予防的処置を開始することが望ましい。
【００５０】
（薬学的組成物）
いくつかの方法において、乳汁または他の供給源から精製されたＣ１インヒビターを、薬学的組成物として薬学的キャリアとともに精製された形態で投与する。好ましい形態は、投与および治療的適用の意図される様式に依存する。薬学的キャリアは、患者に対してポリペプチドを送達するのに適した任意の適合性のある非毒性物質であり得る。滅菌水、アルコール、脂肪、ろう、および不活性固体がそのキャリアとして用いられ得る。薬学的に受容可能なアジュバント、緩衝剤、分散剤などもまた、その薬学的組成物中に組み込まれ得る。
【００５１】
薬学的組成物中のインヒビター濃度は、広範に変化し得る（すなわち、約０．１重量％未満から（通常、少なくとも約１重量％）２０重量％程度以上まで）。
【００５２】
経口投与について、活性成分は、固体投薬形態（例えば、カプセル剤、錠剤、および粉剤）または液体投薬形態（例えば、エリキシル剤、シロップ剤、および懸濁液）で投与され得る。活性成分（単数または複数）は、ゼラチンカプセル中に不活性成分および粉末化されたキャリア（例えば、グルコース、ラクトース、スクロース、マンニトール、デンプン、セルロースまたはセルロース誘導体、ステアリン酸マグネシウム、ステアリン酸、サッカリンナトリウム、タルク、炭酸マグネシウムなど）とともにカプセル化され得る。所望の色、味、安定性、緩衝化能、分散または他の公知の所望の特性を提供するために添加され得る、さらなる非活性成分の例としては、酸化赤鉄、シリカゲル、ラウリル硫酸ナトリウム、二酸化チタン、食用白インクなどである。同様の賦形剤を用いて、圧縮錠を作製し得る。錠剤およびカプセル剤は両方とも、数時間にわたって薬剤の持続的な放出を提供する徐放性製品として製造され得る。圧縮錠は、いかなる好ましくない味をもマスクし、そして大気から錠剤を保護するために糖コーティングされ得るかまたはフィルムコーティングされ得るか、あるいは胃腸管における選択的分解のために腸溶性コーティングされ得る。経口投与のための液体投薬形態は、患者の受け入れ易さを増加するために着色剤および香味料を含む。
【００５３】
Ｃ１インヒビターは、好ましくは、非経口的に投与される。非経口投与のためのＣ１インヒビターの調製物は、滅菌されていなければならない。滅菌は、凍結乾燥および再構成の前かまたは後に、滅菌用ろ過膜に通すろ過によって容易に達成される。Ｃ１インヒビター投与のための非経口的経路は、公知の方法（例えば、静脈内、腹腔内、脳内、筋肉内、眼内、動脈内または病巣内の経路への注射または注入）に従う。Ｃ１インヒビターは、注入によってかまたはボーラス注射によって継続的に投与される。静脈内注入のための代表的な組成物は、２０％のアルブミン溶液および１００ｍｇ〜５００ｍｇのＣ１インヒビターを必要に応じて補充した１００ｍｌ〜５００ｍｌの滅菌された０．９％のＮａＣｌまたは５％のグルコースを含んで作製され得る。筋肉内注射のために代表的な薬学的組成物は、例えば、１〜１０ｍｌの滅菌緩衝用水および１〜１００ｍｇの本発明のＣ１インヒビターを含んで作製される。非経口的に投与可能な組成物を調製するための方法は、当該分野で周知であり、種々の出典（例えば、Ｒｅｍｉｎｇｔｏｎ’ｓ  Ｐｈａｒｍａｃｅｕｔｉｃａｌ  Ｓｃｉｅｎｃｅ（第１５版，Ｍａｃｋ  Ｐｕｂｌｉｓｈｉｎｇ，Ｅａｓｔｏｎ，ＰＡ，１９８０）（全ての目的のために、これらの全体を参考として援用する））においてより詳細に記載される。
【００５４】
（治療的方法）
本発明は、外因性Ｃ１インヒビターを用いてＣ１インヒビター欠損症を処置するための有効な方法を提供する。Ｃ１インヒビターをまた用いて、古典的な経路の補体活性（活性化Ｃ１成分）および／または接触系（ＸＩＩａ因子、カリクレイン、ＸＩａ因子）活性が好ましくない免疫応答または炎症応答を助長する他の疾患も処置し得る。このような疾患としては、以下が挙げられる：心筋梗塞（ＷＯ９５／０６４７９）；後天性全身性炎症応答（特に、重篤な敗血症、敗血症性ショック、ＡＲＤＳ（成人呼吸促進症候群）、複合臓器不全および子癇前症（ＷＯ９２／２２３２０：Ｇｅｎｅｎｔｅｃｈ  Ｉｎｃ））；重篤なやけど、複損傷（ｐｏｌｙｔｒａｕｍａｔａ）、体外循環を用いた手術の場合の毛細血管漏出症候群（ｃａｐｉｌｌａｒｙ  ｌｅａｋａｇｅ  ｓｙｎｄｒｏｍｅ）および循環障害（ＥＰ  ０５８６９０９）、治療的サイトカイン（例えば、ＩＬ２）の注入、同種異系骨髄移植（または、自己骨髄移植）後の急性対宿主性移植片病。他の適応症は、過剰な古典的経路の補体および／もしくは接触活性化、ならびに／またはＣ１インヒビターの消費もしくは（関連）機能的Ｃ１インヒビター欠損が、病態生理学（例えば、髄膜炎、慢性関節リウマチ、同種移植および異種移植後の過剰急性移植片拒絶、ならびに膵炎）に関連する障害であり得る。
【００５５】
本発明の薬学的組成物は、通常、静脈内に投与される。皮内投与、筋肉内投与または経口投与もまた、いくつかの状況で可能である。組成物は、疾患に罹患しているかまたは危険性のある個体予防的処置のために以後の疾患を予防、遅延、またはその重篤度を軽減させるのに十分な量で投与され得る。治療的適用のために、薬学的組成物は、確立された疾患に罹患している患者に、症状の重篤度を軽減させるかおよび／または症状のさらなる進行を防ぐかもしくは阻止するのに十分な量で投与される。これを達成するのに十分な量は、「治療的」有効量または「予防的」有効量として定義される。このような有効な投薬量は、状態の重篤度および患者の健康の全身状態に依存する。１つの有効な投薬量は、１ｍｌの血漿あたり少なくとも約５０μｇの機能的Ｃ１インヒビター、好ましくは１ｍｌの血漿あたり少なくとも約１００μｇの機能的Ｃ１インヒビター、より好ましくは１ｍｌの血漿あたり少なくとも約２００μｇの機能的Ｃ１インヒビター、そして最も好ましくは１ｍｌの血漿あたり少なくとも約２５０μｇの機能的Ｃ１インヒビターの血漿濃度に達するのに必要な量である。機能的Ｃ１インヒビターの代表的なこれらの血漿中濃度は、少なくとも１時間、好ましくは少なくとも４時間、より好ましくは少なくとも１２時間、そして最も好ましくは少なくとも２４時間維持される。
【００５６】
本方法において、Ｃ１インヒビターは、１人の患者に対して１週間に患者の体重１ｋｇあたり約１０ｍｇ以上の投薬量で通常投与される。しばしば、投薬量は、１週間あたり１０ｍｇ／ｋｇより多い。投薬レジメンは、１週間あたり１０ｍｇ／ｋｇから１週間あたり少なくとも１０００ｍｇ／ｋｇの範囲にある。代表的な投薬レジメンは、１週間あたり１０ｍｇ／ｋｇ、１週間あたり２０ｍｇ／ｋｇ、１週間あたり３０ｍｇ／ｋｇ、１週間あたり４０ｍｇ／ｋｇ、１週間あたり６０ｍｇ／ｋｇ、１週間あたり８０ｍｇ／ｋｇそして１週間あたり１２０ｍｇ／ｋｇである。好ましいレジメにおいて、１０ｍｇ／ｋｇ、２０ｍｇ／ｋｇ、または４０ｍｇ／ｋｇが、１週間に１回、２回または３回投与される。処置は、少なくとも４週間、時折２４週間、そして時折患者の生涯にわたって、代表的に継続される。処置は、好ましくは静脈内経路に投与される。必要に応じて、Ｃ１インヒビターのレベルは、処置の後にモニターされ（例えば、血漿中）、そして、検出されたレベルが、例えば、正常なヒトにおける値の４０％未満、３０％未満、または２０％未満より実質的に低く低下する場合、追加投薬が投与される。あるいは、いくつかの状態において、正常なレベルよりも高く、例えば、正常なレベルの１５０％、正常なレベルの２００％、または正常なレベルの３００％さえも到達することが所望され得る。
【００５７】
（他の用途）
トランスジェニック動物の乳汁中に産生されるＣ１インヒビターは、多数の他の用途を有する。例えば、Ｃ１インヒビターは、内因性Ｃ１インヒビター活性のインビトロでの診断のためのキット中のコントロール試薬として用いられ得る。あるいは、Ｃ１インヒビターは、体外デバイス上に固定されて、患者からの抗Ｃ１インヒビター抗体を選択的に除去し得る。
【実施例】
【００５８】
（実施例）
（実施例１：導入遺伝子の構築）
（ａ．重複ゲノム構築物（ＣＩＮＨ１））
ヒトＣ１インヒビター遺伝子のゲノム配列の重複部分を含む２つの発現ベクターのセットを構築した。これらのプラスミドはともに、ウシαＳ１−カゼインプロモーターおよび完全ヒトＣ１インヒビターゲノム配列を含む。用いられた全てのＣ１インヒビターフラグメントは、Ｐ１クローンＤＭＤＣ−ＨＦＦ＃１−１１１２−６９（Ｇｅｎｏｍｅ  Ｓｙｓｔｅｍｓ  Ｉｎｃ．（８６２０  Ｐｅｎｎｅｌｌ  Ｄｒｉｖｅ，Ｓｔ．Ｌｏｕｉｓ，Ｍｉｓｓｏｕｒｉ  ６３１１４）より入手）由来であり、このクローンを、２つのＣ１インヒビター特異的プライマー（付録１Ａ）を用いたＰＣＲによってＰ１ヒトゲノムライブラリーから単離した。
【００５９】
プラスミドｐαＳ１／５’Ｃ１（これは、Ｃ１インヒビター遺伝子の５’部分に融合した６．３ｋｂのウシαＳ１−カゼイン調節配列を含む）を、以下のように構築した。第１に、ｐＫＵＮ１（Ｋｏｎｉｎｇｓ，１９８６  Ｇｅｎｅ  ４６，２６９−７６）をＥｃｏＲＩおよびＳａｌＩを用いて消化し、そしてリンカー１（付録１Ｂ）に連結し、次いで、Ｋｌｅｎｏｗを用いて充填して連結することによってＣｌａＩ部位を除去した。得られたプラスミドｐＫＵＮ２ΔＣから、ｐＫＵＮ２ΔＣＮＢＳを、ＮｏｔＩおよびＳａｌＩ部位にリンカー２（付録１Ｃ）を連結することによって作製した。リンカー２は、ＣｌａＩ部位、１９ｂｐのαＳ１−カゼインエキソン１（ＣｌａＩ部位のメチル化を妨げるためにＴに変異された第１のＣを有する）、６ｂｐの正常に隣接するＣ１インヒビターＡＴＧ翻訳開始部位、およびＡＴＧに重複するＣ１インヒビター遺伝子中のＢｇｌＩ部位と互換性のあるＳｆｉＩ部位を提供した。次いで、リンカー３（付録１Ｄ）は、ｐＫＵＮ２ΔＣＮＢＳのＳｆｉＩ部位およびＭｌｕＩ部位中に連結し、プラスミドｐＫＵＮ２ΔＣＥＶを得た。リンカー３を、Ｃ１インヒビター遺伝子中の隣のＢｇｌＩ部位に互換性のある第２のＳｆｉＩ部位（ＡＴＧの下流の４．８ｋｂに位置する）およびＮｏｔＩ部位を導入した。次いで、４．８ｋｂのＢｇｌＩフラグメントは、プラスミドｐＫＵＮ２ΔＣＥＶの脱リン酸化されたＳｔｉＩ部位中のＰ１クローン（前出）からクローン化し、ｐＫ−ＢｇｌＩ−Ｃｌを得た。この構築物は、エキソン１およびエキソン２由来の最初の１６ｂｐ（これらはともに、Ｃ１インヒビターの５’ＵＴＲ（非翻訳領域）のほとんどを形成するが、なおＡＴＧ翻訳開始コドンを含む）を欠き、これは、エキソン２中に位置する。このプラスミド由来の４．８５ｋｂのＣｌａＩ−ＳａｌＩフラグメントをプラスミドｐ（−８ｋｂ、ＣＳ）（特許出願ＷＯ９３／２５５６７）中にクローン化し、プラスミドｐαＳ１／５’−Ｃ１を得た。これは、６．２ｋｂのＮｏｔＩ−ＣｌａＩウシαＳ１−カゼインプロモーターフラグメント（これは、αＳ１−カゼインエキソン１から最初の２０ｂｐを含む（ＥＭＢＬデータベース、受託番号Ｘ５９８５６；（Ｋｏｃｚａｎ，１９９１，Ｎｕｃｌｅｉｃ  Ａｃｉｄｓ  Ｒｅｓ．１９，５５９１−５５９６）））にＣ１インヒビターフラグメントを連結し、クローニング工程において用いられるＣｌａＩ部位に直接隣接する。
【００６０】
第２ベクター（ｐＩＣ２０Ｒ／３’−Ｃ１）を、ＳｐｅＩを用いたＰ１クローン（前出）の消化によって、次いで、エキソン４〜８＋約５．５ｋｂの３’隣接ＤＮＡを含む２０ｋｂのＳｐｅＩフラグメントのｐＩＣ２０Ｒの脱リン酸化ＸｂａＩ部位への連結によって作製した（Ｍａｒｓｈ，１９８４  Ｇｅｎｅ  ３２，４８１−４８５）。ｐαＳ１／５’−Ｃ１とｐＩＣ２０Ｒ／３’−Ｃ１との間の重複は２．０ｋｂであった。
【００６１】
（ｂ．単一ゲノム構築物（ＣＩＮＨ２））
ウシαＳ１−カゼインプロモーターに融合した完全ヒトＣ１インヒビター遺伝子を含む単一構築物もまた、作製した。第１に、プラスミドｐＫ−ＢｇｌＩ−Ｃｌインヒビター（前出）を、ＳｐｅＩおよびＳａｌＩを用いて消化してリンカー４（付録１Ｅ）に連結し、プラスミドｐＫ−ＢｇＳｐＬ−Ｃ１を得た。次いで、Ｐ１クローン（前出）から、２０ｋｂのＳｐｅＩフラグメントを、ＳｐｅＩを用いて消化して脱リン酸化したｐＫ−ＢｇＳｐＬ−Ｃ１中にクローン化した。得られたベクター（ｐＣＢＳｐｅＩＣ１と呼ばれる）由来の２２ｋｂのＣｌａＩ−ＳａｌＩフラグメント（全Ｃ１インヒビターコード領域＋５．５ｋｂの３’隣接ＤＮＡを含む）を、ＣｌａＩおよびＳａｌＩを用いて消化したｐ（−８ｋｂ、ＣＳ）（前出）中に連結した。この最終構築物を、ｐ６，２Ｃ１−ＩＮＨ２と名付けた。
【００６２】
（実施例２：トランスジェネシス（ｔｒａｎｓｇｅｎｅｓｉｓ））
（Ａ．マウスにおける重複構築物（ＣＩＮＨ１））
トランスジェニックマウスを、Ｈｏｇａｎら，１９８６，「Ｍａｎｉｐｕｌａｔｉｎｇ
ｔｈｅ  Ｍｏｕｓｅ  Ｅｍｂｒｙｏ」，Ｃｏｌｄ  Ｓｐｒｉｎｇ  Ｈａｒｂｏｕｒ  Ｐｒｅｓｓ  ＮＹによって本質的に記載されるように、受精した卵母細胞への前核注射によって産生した。ｐαＳ１−５’Ｃ１（図１Ａを参照のこと）をＮｏｔＩを用いて消化した。１１．３ｋｂのフラグメントを得、これを、ゲル精製および電気溶離によって単離した。同様に、ｐＩＣ２０Ｒ／３’−Ｃ１由来の１５．８ｋｂのＳｃａＩ−ＥｃｏＲＶフラグメント（イントロン３から最後のエキソンを越えた２ｋｂまで伸長した）を、調製した。両フラグメントを、（３ｎｇ／μｌの濃度で）連結し、受精したマウスの卵母細胞の前核に注射した。この卵母細胞を、偽妊娠マウス養母の子宮に移植した。その子孫を、切除された尾から単離したＤＮＡのサザンブロット法によってヒトＣ１インヒビターのゲノム遺伝子構築物の挿入について分析した。重複フラグメント間で正確な相同組換えが生じたか否かを、サザンブロットおよびＰＣＲによってチェックした。３３匹のトランスジェニックマウスを得、そのうちの３１匹が、組換え導入遺伝子を正確に含んでいた。これらの３１匹のマウスのうちの１７匹をさらに繁殖させるために、ＦＩＳＨ分析を用いて選択し、複数の組込み部位および／または高レベルのモザイク現象を有する動物を除外した。
【００６３】
（Ｂ．マウスにおける単一ゲノム構築物（ＣＩＮＨ２））
ｐ６，２Ｃ１−ＩＮＨ２を、ＮｏｔＩおよびＳａｌＩを用いて消化し、２８．２ｋｂのフラグメントを得た（図１Ｂ）。３ｎｇ／μｌの濃度のこのフラグメント溶液を用いて、上記のように、マウスの卵母細胞中にマイクロインジェクションした。３０匹のトランスジェニックマウスを得、そのうちの１２匹をさらなる繁殖のために、ＦＩＳＨ分析によって選択した。
【００６４】
（Ｃ．ウサギにおける単一ゲノム構築物（ＣＩＮＨ２））
トランスジェニックウサギを、以下のプロトコルに従って作製した。各雌のドナー動物（Ｎｅｗ  Ｚｅａｌａｎｄ  Ｗｈｉｔｅ）を、ブタのＦＳＨ（Ｓｉｇｍａ）で３日間皮下に処置した。１日目および２日目に、０．５Ｕをおよそ午前８時および午後６時に注射した。３日目に、０．５Ｕをおよそ午前８時および午後１１時に注射した。４日目に、これらの雌を、午後２時に（Ｎｅｗ  Ｚｅａｌａｎｄ  Ｗｈｉｔｅシリーズと）交配させた。この交配の直後、これらの雌に１５０ＵのＰｒｅｇｎｉｌ（ヒト；Ｏｒｇａｎｏｎ）を筋肉内注射した。５日目に、これらのドナー動物を、Ｔ６１（Ｈｏｅｃｈｓｔ  Ｒｏｕｓｓｅｌ  Ｖｅｔ）の静脈内注射で午前９時に屠殺し、そしてこれらの胎芽をフラッシング（ｆｌｕｓｈｉｎｇ）によって収集した。これらの動物の交配と屠殺との間を比較的長い遅延させることによって、ヒアルロニダーゼを用いたこれらの胎芽の処置も、自発的に放出される周辺細胞を除去するための顕微解剖も、必要性がなくなった。胎芽を、ＲＤ培地（１００Ｕ／ｍｌのペニシリン−Ｇ、１００ｍｇ／ｍｌの硫酸ストレプトマイシンおよび１５ｍｇ／ｍｌのＦｒａｃｔｉｏｎ  Ｖ  ＢＳＡ／ｍｌを補充したＲＰＭＩ−１６４０とＤｕｌｂｅｃｃｏ’ｓ  Ｍｏｄｉｆｉｅｄ  Ｅａｇｌｅ’ｓ  Ｍｅｄｉｕｍ（高グルコース改変）との１：１（ｖ／ｖ）混合物；Ｃａｒｎｅｙ  Ｅ．Ｗ．およびＦｏｏｔｅ  Ｒ．Ｈ．（１９９１）Ｊ．Ｒｅｐｒｏｄ．Ｆｅｒｔ．９１：１１３−１２３）中で３９℃にて維持した。マイクロインジェクション（１個の卵母細胞あたり２〜３ピコリットル）を直ちに実施し、そしてこれらの胎芽を、レピシエント雌の両卵管に（各側に１０〜１５個の胎芽）再移植した。これらのレピシエント雌を、２日目に１５ＵのウマＦｏｌｌｉｇｏｎ（Ｉｎｔｅｒｖｅｔ）の皮下注射によって調製した。４日目に、これらのレピシエント雌は、０．３３ｍｌのＲｅｃｅｐｔａｌ（０．００１４ｍｇのブセレリン（ｂｕｓｅｒｅｌｉｎｉ），Ｈｏｅｃｈｓｔ  Ｒｏｕｓｓｅｌ  Ｖｅｔ．）の筋肉内注射をうけた。
【００６５】
最初に、数羽のウサギを重複構築物を用いて作製し、ＰＣＲ分析は、正確に組換えられた導入遺伝子だけでなく、非組み換え連結５’フラグメントおよび３’フラグメントも存在することを示した。このような配置において、エキソン４は２連である。導入遺伝子の再配列されたコピーは、望ましくない。なぜなら、それらのコピーが、異常な転写およびそれによる変質タンパク質分子を生じ得るからである。このため、市販のＣ１インヒビター産物に対するトランスジェニックウサギの作製のために単一ゲノム構築物のみを用いることを決定した。
【００６６】
ｐ６，２Ｃ１−ＩＮＨ２をＮｏｔＩおよびＳａｌＩを用いて消化し、２８．２ｋｂのフラグメントを得た（図１Ｂ）。３ｎｇ／μｌの濃度のこのフラグメントの溶液を用いて、受精したウサギの卵母細胞中にマイクロインジェクションした。１０羽のトランスジェニックウサギを作製し、ＰＣＲ、サザンブロットおよびＦＩＳＨによって分析した。１つの株（３３５８）は、導入遺伝子の完全なコピーを含まなかった。残りの９株を全て繁殖させて、発現分析のための乳汁を得た。
【００６７】
（実施例３：トランスジェニック動物の乳汁中のＣ１インヒビターの分析）
（Ａ，Ｂ．マウスにおける重複ゲノム構築物および単一ゲノム構築物（ＣＩＮＨ１およびＣＩＮＨ２））
トランスジェニックマウスおよび非トランスジェニックコントロール由来の乳汁を酵素結合放射免疫測定法によって分析した（ＥＬＩＳＡの説明について、付録２を参照のこと；発現データについて、表１、表２および表３を参照のこと）。ＥＬＩＳＡは、Ｃ１インヒビター（活性および不活性の両方）の総量を測定する。Ｃ１インヒビターの平均レベルは、０．０４〜５ｍｇ／ｍｌの範囲にある重複フラグメントを用いて作製したトランスジェニックマウスにおいて得た。最も高く産生する株のうちのいくつかの個体サンプルは、２０ｍｇ／ｍｌより多く含んでいた。Ｃ１インヒビターの平均レベルは、０．１μｇ／ｍｌ〜１０ｍｇ／ｍｌの範囲にある単一フラグメントを用いて作製したトランスジェニックマウスにおいて得た。最も高く産生する株（５９０３）のうちのいくつかの個体サンプルは、２０ｍｇ／ｍｌより多く含んでいた。
【００６８】
（表１．ｒＨ−Ｃ１ＩＮＨ１マウス株のＣ１インヒビター発現データ）
【００６９】
【表１】
2014121337.tif 000002
【００７０】
１発現レベルを、ＥＬＩＳＡによって決定した（付録２Ａ）。
２特定の株の全てのＦ１マウス由来の２回の授乳期間の、産後６日目、９日目および１２日目の乳汁サンプルの平均発現。
３特定の株の全てのＦ１マウス由来の乳汁サンプル中に見出された最も高い発現。
【００７１】
（表２．ｒＨ−Ｃ１ＩＮＨ２マウス株のＣ１インヒビターの発現データ）
【００７２】
【表２】
2014121337.tif 000003
【００７３】
１ＦＩＳＨによる前選択に起因して、全ての株は、単一導入遺伝子の組込み部位を含んだ。
２発現レベルを、ＥＬＩＳＡによって決定した（付録２Ａ）。
３特定の株の全てのＦ１マウス由来の２回の授乳期間の産後６日目、９日目および１２日目の乳汁サンプルの平均発現。
４特定の株の全てのＦ１マウス由来の乳汁サンプル中に見出された最も高い発現。
【００７４】
（表３．ｒＨ−Ｃ１ＩＮＨ１マウス株およびｒＨ−Ｃ１ＩＮＨ２マウス株の発現データの概要）
【００７５】
【表３】
2014121337.tif 000004
【００７６】
１株の数を、株の合計数で割った。
【００７７】
（Ｃ．ウサギにおける単一ゲノム構築物）
トランスジェニックウサギおよび非トランスジェニックコントロール由来の乳汁を、２種類のアッセイによって分析した（これらのＥＬＩＳＡの説明については、付録２Ｂを参照のこと；発現データについては、表４を参照のこと）。ＥＬＩＳＡは、乳汁中に存在する抗原性Ｃ１インヒビタータンパク質の総量を評価するのに対して、Ｃ１インヒビター活性アッセイは機能的に活性なＣ１インヒビターの量を測定する。活性Ｃ１インヒビターの平均レベルを、０．０５ｍｇ／ｍｌ〜２０ｍｇ／ｍｌの範囲にあるトランスジェニックウサギにおいて得た。最も高く産生する株のうちのいくつかの個体サンプルは、２５ｍｇ／ｍｌより多く含む。
【００７８】
（表４．ｒＨ−Ｃ１ＩＮＨの創始ウサギ：導入遺伝子のコピー数および発現レベル（タンパク質含有量および活性））
【００７９】
【表４】
2014121337.tif 000005
2014121337.tif 000006
１＝世代
２＝分裂中期のＦＩＳＨにより決定した
３＝ＦｉｂｅｒＦＩＳＨにより決定した
４＝Ｃ１インヒビター抗原の濃度（付録２ＢＩ）；（ｎ）サンプルの平均
５＝機能的に活性なＣ１インヒビターの濃度（付録２ＢＩＩ）；（ｎ）サンプルの平均
６＝存在する６個の完全コピー＋２個の半コピー
７＝存在する非完全コピー
（実施例４：ウサギの乳汁由来の組換えヒトＣ１ＩＮＨの精製）
乳汁中のＲ−Ｃ１ＩＮＨの存在を、非トランスジェニックウサギの乳汁からの精製後に得られた画分の免疫ブロット法およびＳＤＳ−ＰＡＧＥ分析によって確認した。トランスジェニック乳汁中のＲ−Ｃ１ＩＮＨの推定レベルおよびｒＨ−Ｃ１ＩＮＨの濃度から、分離が必要であると判断した。Ｒ−Ｃ１ＩＮＨからのｒＨ−Ｃ１ＩＮＨの分離を、ｐＨ５．５およびｐＨ７．０でのＱセファロース（Ｐｈａｒｍａｃｉａ）の陰イオン交換クロマトグラフィーを用いて達成した。溶出差は、約０．１Ｍの塩化ナトリウムであり、これは製造に十分適している。
【００８０】
１５ｇ／ｌのｒＨ−Ｃ１ＩＮＨ濃度を有する２９７２ｐ株由来のトランスジェニックウサギの乳汁を、解凍し、プールし、そしてｐＨ５．５の２０ｍＭのクエン酸ナトリウムの１容量で希釈した。希釈後のｐＨは、７．０だった。次いで、この希釈された乳汁を２５μｍのＰｏｌｙｇａｒｄ（登録商標）フィルター（Ｍｉｌｌｉｐｏｒｅ）でろ過し、そして室温にて連続遠心分離によって脱脂した。２００ミリリットルの脱脂した乳汁を、ｐＨ７．０の２０ｍＭのクエン酸ナトリウム＋０．０５Ｍの塩化ナトリウムで平衡化したＳＰセファロースの大きなビーズ（Ｐｈａｒｍｃｉａ）カラム（５０／１５）に適用した。線形流（ｌｉｎｅａｒ  ｆｌｏｗ）は、６０ｃｍ／ｈであった。ロード後、このカラムを、ｐＨ７．０の２０ｍＭのクエン酸ナトリウム＋０．０５Ｍの塩化ナトリウムの５カラム容量で洗浄し、結合したｒＨ−Ｃ１ＩＮＨを、ｐＨ７．０の２０ｍＭのクエン酸ナトリウム＋０．２Ｍの塩化ナトリウムの１工程で溶出した。溶出したｒＨ−Ｃ１ＩＮＨを０．２２μｍに通してろ過し、ｐＨ７．０の２０ｍＭのリン酸ナトリウムで３倍に希釈し、そしてＱセファロース高性能（Ｐｈａｒｍａｃｉａ）カラム（５０／２０）（ｐＨ７．０の２０ｍＭのリン酸ナトリウム＋０．０５Ｍの塩化ナトリウムにて平衡化した）に６０ｃｍ／ｈの線形流にて適用した。このカラムをｐＨ７．０の２０ｍＭのリン酸ナトリウム＋０．０５Ｍの塩化ナトリウムの１０容量で９０ｃｍ／ｈの線形流にて洗浄後、結合したｒＨ−Ｃ１ＩＮＨを、ｐＨ７．０の２０ｍＭのリン酸ナトリウム＋０．２５Ｍの塩化ナトリウムの１工程で溶出した。溶出の間の線形流は、６０ｃｍ／ｈであった。次いで、ｒＨ−Ｃ１ＩＮＨ画分を、ｐＨ７．０の２０ｍＭのリン酸ナトリウム＋０．２５Ｍの塩化ナトリウム中、６０ｃｍ／ｈの線形流を用いて亜鉛充填のキレート化セファロース高速流（Ｚｉｎｃ  ｃｈａｒｇｅｄ  Ｃｈｅｌａｔｉｎｇ  Ｓｅｐｈａｒｏｓｅ  ｆａｓｔ  ｆｌｏｗ）（Ｐｈａｒｍａｃｉａ）カラム（５０／１５）にロードした。このカラムによって吸収されなかったタンパク質画分を、濃縮し、そして５０ｃｍ２  Ｂｉｏｍａｘ−３０膜（Ｍｉｌｌｉｐｏｒｅ）を用いて緩衝液をリン酸緩衝化生理食塩水に交換した。濃縮されたｒＨ−Ｃ１ＩＮＨを０．２２μｍに通してろ過し、アリコートし、そして−７０℃以下に保存した。
【００８１】
このプロセスの回収率を、ｒＨ−Ｃ１ＩＮＨについて特異的ＥＬＩＳＡを用いてモニターし、そしてこの回収率はおよそ４０％であった。さらに、この精製にわたってｒＨ−Ｃ１ＩＮＨの活性を、Ｃ１の阻害によって決定されるように保存した。純度が９９％を超えることを、ＳＤＳ−ＰＡＧＥおよびサイズ排除クロマトグラフィーによって決定し、そして９９．９５％を超えることを、ウサギ乳汁中に存在する宿主タンパク質を検出する特異的ＥＬＩＳＡを用いて決定した。
【００８２】
（ＲＨ−Ｃ１ＩＮＨ調製物の純度の決定）
（サイズ排除クロマトグラフィー）
精製したｒＨ−Ｃ１ＩＮＨ（１００μｌ、２ｍｇ／ｍｌ）を、リン酸緩衝化生理食塩水＋０．１５Ｍの塩化ナトリウムで流速０．５ｍｌ／分にてセファロース１２ＨＲ１０／３０ゲルろ過カラム（Ｐｈａｒｍａｃｉａ）に通してろ過した（Ａｋｔａ  ｅｘｐｌｏｒｅｒ  １０  ｓｙｓｔｅｍ，Ｐｈａｒｍａｃｉａ）。溶出タンパク質を２０５ｎｍの吸光度で検出した。溶出ピークの割合を、Ｕｎｉｃｏｒｎソフトウェア（Ｐｈａｒｍａｃｉａ）を用いて積分によって決定した。
【００８３】
（宿主に関連した不純物の検出）
最終産物における宿主に関連した不純物（ＨＲＩ）の相対的存在を、定量的酵素免疫測定法（ＥＬＩＳＡ）によって決定した。ウサギＣ１インヒビターに結合せずにヒトＣ１インヒビターに結合するポリクローナル抗体を、ヒトＣ１インヒビターを用いてウサギを免疫することによって生成した。ウサギ乳汁タンパク質に対する特異的抗体を、乳汁および乳清タンパク質で、ヒツジおよびヤギを免疫することによって産生した。この抗血清の特異性をウエスタンブロット分析によって評価した。全てでなくてもほとんどのウサギ乳汁タンパク質と反応するこれらの抗血清を選択した。全ＩｇＧ画分を、製造業者指示書に従ってプロテインＧセファロースで精製した（Ｐｈａｒｍａｃｉａ）。この精製されたＩｇＧをサンドイッチＥＬＩＳＡの展開のために用いた。
【００８４】
マイクロタイタープレート（Ｐｏｌｙｓｏｒｐ，Ｎｕｎｃ）を、ｐＨ９．４の０．１Ｍの炭酸ナトリウム中の５μｇ／ｍｌの精製されたＩｇＧを用いて、一晩室温にてコーティングした。ＰＢＳ／０．０２％のＴｗｅｅｎ−２０を用いて洗浄後、これらのウェルをＰＢＳ／０．３％のＢＳＡ／０．１％のＴｗｅｅｎ−２０／１０ｍＭのＥＤＴＡで希釈したサンプルとともに１時間室温にてインキュベートした。ＰＢＳ／０．０２％のＴｗｅｅｎ−２０で洗浄後、ウェルをペルオキシダーゼ標識したＩｇＧ（ＰＢＳ／０．３％のＢＳＡ／０．１％のＴｗｅｅｎ−２０中で１：２０００）とともに１時間室温にてインキュベートした。もう１回洗浄後、基質溶液（ＩｍｍｕｎｏＰｕｒｅ  ＴＭＢ  Ｓｕｂｓｔｒａｔｅ  Ｋｉｔ，Ｐｉｅｒｃｅ）を添加した。基質の転換を、２ＭのＨ２ＳＯ４の添加によって停止させ、そしてプレートを、ＢＩＯＬＩＳＥソフトウェアを用いてＳＬＴ  ３４０  ＡＴＴＣプレートリーダー（ＳＬＴ  Ｌａｂｉｎｓｔｒｕｍｅｎｔｓ）において４５０ｎｍにて読み取った。全てのインキュベーションを、１００μｌ容量で実施した。
【００８５】
宿主に関連した不純物の総量（重量対重量を基礎とした１００万分率（ＰＰＭ）として表現）を、標準としてウシ血清アルブミンを用いたビシンコニックアッセイ（Ｂｉｃｉｎｃｈｉｎｏｎｉｃ  ａｓｓａｙ）（Ｐｉｅｒｃｅ）によって総タンパク濃度が決定される標準的乳汁と比較して精製されたｒＨ−Ｃ１ＩＮＨサンプルの反応活性から算出した。
【００８６】
コントロールの目的のために、ウサギＣ１インヒビターをウサギ血漿から精製した。この精製は、ポリエチレングリコールを用いた沈澱、陽イオン交換クロマトグラフィーによる捕獲、レクチン親和性クロマトグラフィーによる中間体精製、そして陰イオン交換クロマトグラフィーによるポリッシングによってもたらされる。
【００８７】
（実施例５：異なるトランスジェニックウサギの創始者の乳汁由来の組換えＣ１インヒビターの精製）
２９７２ｑ株、２９７２ｐ株および２９７７ｑ株由来の乳汁プールを、ｐＨ５．５の２０ｍＭのクエン酸ナトリウムの等量と混合し、この後、ｐＨを７．０に調整した。希釈した乳汁を４℃にて２０分間の１３００ｇの遠心分離にて脱脂し、次いで、ｐＨ７．０の２０ｍＭのクエン酸ナトリウム（緩衝液Ａ）で平衡化したＳＰセファロースカラムの陽イオン交換クロマトグラフィーに供した。ロードした後、このカラムを緩衝液Ａで洗浄し、そして結合したタンパク質を、６０ｃｍ／ｈの線形流速にて緩衝液Ａ中の０．１５Ｍの塩化ナトリウムで溶出した。Ｃ１インヒビターを含む溶出画分（特異的ＥＬＩＳＡ（付録２ＢＩを参照のこと）で決定するように）をプールして精密ろ過（０．４５μｍ）し、次いで、Ｓｕｐｅｒｄｅｘ２００のゲルろ過カラムに通して（１５ｃｍ／ｈの線形流にて０．１５ＭのＮａＣｌを含む２０ｍＭのリン酸ナトリウムで）ろ過した。Ｃ１インヒビターを含む画分をプールし、アリコートし、そして−５０℃以下で保存した。各工程の回収率を９０％を超えるように決定した。この純度（定量的ＳＤＳ−ＰＡＧＥ（付録３を参照のこと）を用いて決定される場合）は、９８％を超えた。
【００８８】
特徴付け研究においてコントロールとして用いたＣｅｔｏｒ（登録商標）（すなわち、プールしたヒト血漿から精製したＣ１インヒビター，ＣＬＢ，Ｔｈｅ  Ｎｅｔｈｅｒｌａｎｄｓ）もまた、上述と同じ条件下にてＳｕｐｅｒｄｅｘ  ２００でろ過した。
【００８９】
（実施例６：異なる組換えＣ１インヒビター調製物の特徴づけ）
（機能的指数）
機能的に活性なＣ１インヒビターと総Ｃ１インヒビター抗原との間の比として規定される機能的指数（Ｆ．Ｉ．）を、表５に示す。総Ｃ１インヒビター抗原の量は、付録２ＢＩに記載されるＥＬＩＳＡを使用して測定される。機能的に活性なＣ１ＩＮＨの量は、付録２ＢＩＩに記載されるＣ１ＩＮＨ活性試験を使用して決定される。
【００９０】
【表５】
2014121337.tif 000007
（ＳＤＳ−ＰＡＧＥおよびウェスタンブロット分析）
異なるＣ１インヒビター調製物を、４〜２０％ＳＤＳ−ＰＡＧＥで、還元条件下および非還元条件下で分析した。全てのＣ１インヒビター調製物は、還元条件下および非還元条件下の両方で単一バンドとして移動し、このバンドはウェスタンブロットのウサギ抗Ｃ１インヒビター抗体（ＤＡＫＯ、Ａ０２５３）によって認識された。非還元条件下で、Ｃｅｔｏｒ（登録商標）は、およそ１０５ｋＤａの見かけの分子量を有し、一方３つの異なる組換えＣ１インヒビターは、全ておよそ９６ｋＤａの見かけの分子量を有する。還元条件下で、見かけの分子量は、Ｃｅｔｏｒ（登録商標）についてはおよそ９５ｋＤａ、そして組換えＣ１ＩＮＨ調製物については８０ｋＤａである。
【００９１】
（Ｃ末端配列分析）
配列分析を、Ｃ末端分解（Ｂｏｙｄ  ＶＬら、（１９９２）Ａｎａｌ．Ｂｉｏｃｈｅｍ．２０６、３４４−３５２；Ｂｏｙｄ  ＶＬら、（１９９５）Ｊ．Ｏｒｇａｎｉｃ  Ｃｈｅｍ．６０、２５８１−２５８７）によって、Ａｐｐｌｉｅｄ  Ｂｉｏｓｙｓｔｅｍｓ（Ｗａｒｒｉｎｇｔｏｎ，ＵＫおよびＦｏｓｔｅｒ  Ｃｉｔｙ，Ｃａｌｉｆｏｒｎｉａ，ＵＳＡ）から入手のプロトコール、試薬、化学物質、および材料を使用して、自動配列決定装置（４７７Ａモデル、Ａｐｐｌｉｅｄ  Ｂｉｏｓｙｓｔｅｍｓ）を用いて実行した。段階的に放出されるＡＴＨアミノ酸を、オンラインＨＰＬＣ（１２０Ａモデル、Ａｐｐｌｉｅｄ  Ｂｉｏｓｙｓｔｅｍｓ）を用い、その放出時間に基づいて同定した。
【００９２】
同一のＣ末端配列を、異なる組換えＣ１インヒビター調製物およびＣｅｔｏｒ（登録商標）において見出した。それぞれのサンプルにおいて、主要な配列はＣ末端でＡｌａを示した。分析方法の制限に起因して、アミノ酸は２〜４位（Ｃ末端から開始して）で決定ができなかった。微量シグナルの分析は、異なる組換えＣ１インヒビター調製物およびＣｅｔｏｒ（登録商標）において明かなＣ末端異質性が存在しないことを明らかにした。
【００９３】
（実施例７：１０リットル乳汁規模での組換えヒトＣ１ＩＮＨの精製）
２９７２ｐ系列由来の凍結乳汁（合計１１ｋｇ）を、凍結して保存し、解凍し、そしてプールした。解凍の後、等容積の２０ｍＭのクエン酸ナトリウムｐＨ５．５を添加した。この希釈乳汁を、２５μｍで濾過し、そして室温で連続的遠心分離によって、脱脂した。この脱脂乳を、続いて、２０ｍＭのクエン酸ナトリウムｐＨ７．０および０．０２Ｍの塩化ナトリウムで平衡化したＳＰ  Ｓｅｐｈａｒｏｓｅ  ｂｉｇ  ｂｅａｄ（Ｐｈａｒｍａｃｉａ、Ｓｗｅｄｅｎ）カラム（４５０／１５）に、６０ｃｍ／時間の流量で適用した。ロードした後、このカラムを、２０ｍＭのクエン酸ナトリウムｐＨ７．０および０．０２Ｍの塩化ナトリウムの５カラム容量で洗浄し、そして結合したｒＨ−Ｃ１ＩＮＨを、２０ｍＭのクエン酸ナトリウムｐＨ７．０および０．２Ｍの塩化ナトリウムの一工程で溶出した。この溶出したｒＨ−Ｃ１ＩＮＨを、０．２μｍを通して濾過し、そして６時間２５℃で、１％のＴｗｅｅｎ８０（Ｍｅｒｃｋ，Ｇｅｒｍａｎｙ）および０．３％のトリ（ｎ）リン酸ブチル（Ｍｅｒｃｋ，Ｇｅｒｍａｎｙ）の存在下でインキュベートし、被包性ウイルスを不活化した。ウイルスの不活化の後、このプールを２０ｍＭのリン酸ナトリウムｐＨ７．０で３倍に希釈し、０．２μｍで濾過し、そして２０ｍＭのリン酸ナトリウムｐＨ７．０および０．０５Ｍの塩化ナトリウムで平衡化したＱ  Ｓｅｐｈａｒｏｓｅ  ｈｉｇｈ  ｐｅｒｆｏｒｍａｎｃｅ（Ｐｈａｒｍａｃｉａ，Ｓｗｅｄｅｎ）カラム（４５０／１５）に、６０ｃｍ／時間の流量で適用した。このカラムを２０ｍＭのクエン酸ナトリウムｐＨ７．０および０．０５Ｍの塩化ナトリウムの５カラム容量で洗浄した後、結合したｒＨ−Ｃ１ＩＮＨを、２０ｍＭのリン酸ナトリウムｐＨ７．０および０．２２Ｍの塩化ナトリウムの一工程で溶出した。このＱ  Ｓｅｐｈａｒｏｓｅ溶出物を、続いて２０ｍＭのリン酸ナトリウムｐＨ７．０中に２倍に希釈し、０．２μｍで濾過し、そして２０ｍＭリン酸ナトリウムｐＨ７．０および０．１Ｍの塩化ナトリウムで平衡化した亜鉛充填Ｃｈｅｌａｔｉｎｇ  Ｓｅｐｈａｒｏｓｅ  ｆａｓｔ  ｆｌｏｗ（Ｐｈａｒｍａｃｉａ，Ｓｗｅｄｅｎ）カラム（４５０／１５）に３０ｃｍ／時間の流量で適用した。ロードした後、このカラムを２０ｍＭのリン酸ナトリウムｐＨ７．０および０．１ＭのＮａＣｌで洗浄し、そしてカラムによって吸収されなかったタンパク質分画を収集した。このタンパク質分画をさらに０．２μｍで濾過し、続いて起こり得るウイルス混入の除去のためにＶｉｒａ／Ｇｒａｄ５００膜（ＡＧ／Ｔ、ＵＳＡ）で濾過した。後の実験では、Ａｓａｈｉ（日本）から入手のＰｌａｎｏｖａ  １５ＮフィルターをＶｉｒａ／Ｇｒａｄ膜と置き換えた。このウイルス濾過の後、ｒＨ−Ｃ１ＩＮＨを濃縮し、Ｂｉｏｍａｘ−１０メンブレン（Ｍｉｌｌｉｐｏｒｅ、ＵＳＡ）を使用して緩衝液を２０ｍＭクエン酸ナトリウムｐＨ７．０と交換した。この濃縮ｒＨ−Ｃ１ＩＮＨを０．１μｍを通して濾過し、ビンに詰め、そして−２０℃で保存した。後の実験では、６．５％のスクロースを濃縮ｒＨ−Ｃ１ＩＮＨに添加し、これを続いて０．１μｍを通して濾過し、ビンに詰め、そして凍結乾燥した。
【００９４】
このプロセスの回収率は、ｒＨ−Ｃ１ＩＮＨの特異的ＥＬＩＳＡを使用して３７％だった。さらに、精製を通してのｒＨ−Ｃ１ＩＮＨの活性は、Ｃ１の阻害によって決定されるように保存された。この純度は、サイズ排除クロマトグラフィーによって９９％よりも上、ウサギ乳汁中に存在する宿主タンパク質を検出する特異的ＥＬＩＳＡを使用して９９．９９９％よりも上と決定された。内因性Ｒ−Ｃ１ＩＮＨの量は、１ｐｐｍ未満と定量された。
【００９５】
（付録１）
【００９６】
【化１】
2014121337.tif 000008
（付録２）
（Ａ．トランスジェニックマウス乳汁における抗原性Ｃ１インヒビターの総量の決定に使用される方法の説明）
マウス乳汁中のＣ１インヒビターの発現レベルを、Ｖｅｅｒｈｕｉｓら、（１９９８）［Ｖｅｅｒｈｕｉｓ、１９９８  Ａｃｔａ  Ｎｅｕｒｏｐａｔｈｏｌ  ９６，２８７〜２９６］に従うＥＬＩＳＡを使用して決定した。簡単に言えば、９６ウェルＥＬＩＳＡプレートをモノクローナル抗Ｃ１インヒビター抗体でコートし、続いて乳汁サンプルと共にインキュベートした。結合Ｃ１インヒビターを、ビオチン化ウサギ抗Ｃ１インヒビター抗体を使用して検出し、続いてペルオキシダーゼ標識ストレプトアビジンと共にインキュベートし、そしてＴＭＢ（３，３’，５，５’テトラメチルベンジジン）染色反応した。着色を、２０分後に１００μｌ／ウェルの２ＭのＨ２ＳＯ４を用いて停止し、そしてＢＩＯＬＩＳＥソフトウェア（バージョン１．６５）を使用する３４０ＡＴＴＣプレートリーダー（ＳＬＴ  Ｌａｂｉｎｓｔｒｕｍｅｎｔｓ）を用いて、４５０ｎｍで読み取った。全てのインキュベーションは、室温（１時間）で実行し、そして毎インキュベーションの間に、ウェルを、Ｔｗｅｅｎ−２０を０．０２％含むリン酸緩衝生理食塩水（ＰＢＳ）で５回洗浄した。プールした正常ヒト血漿（ＮＰ）の段階希釈を、乳汁中のＣ１インヒビターレベルの計算のための基準として使用した。ＣＬＢ標準物質によると、ＮＰは２７５μｇ／ｍｌのＣ１インヒビターを含む。
【００９７】
（Ｂ．トランスジェニックウサギ乳汁における機能的Ｃ１インヒビターレベルおよび抗原性Ｃ１インヒビターレベルの決定に使用される方法の説明）
（Ｉ．総Ｃ１インヒビター抗原レベルの決定）
９６ウェルＥＬＩＳＡプレートを、リン酸緩衝生理食塩水、ｐＨ７．４（ＰＢＳ）中の３．５μｇ／ｍｌのウサギ抗Ｃ１インヒビター抗体（ＤＡＫＯ、Ａ０２５３）（１００μｌ／ウェル）で、室温で一晩コートした。洗浄後、これらウェルを、１００μｌ／ウェルの希釈乳汁サンプルと共に、１時間室温でインキュベートした。結合されたＣ１インヒビターを、１００μｌ／ウェル  １：５０００希釈ペルオキシダーゼ標識ウサギ抗Ｃ１インヒビター抗体を使用して（１時間、室温）検出し、そして１００μｌ／ウェルの３，３’，５，５’テトラメチルベンジジン（ＴＭＢ、ＩｍｍｕｎｏＰｕｒｅ  ＴＭＢ  Ｓｕｂｓｔｒａｔｅ  Ｋｉｔ、Ｐｉｅｒｃｅ  ３４０２１）を基質として用いて可視化した。発色を、２０分後に１００μ／ウェルの２ＭのＨ２ＳＯ４を用いて終了し、そしてＢＩＯＬＩＳＥソフトウェア（バージョン１．６５）を使用して、３４０ＡＴＴＣプレートリーダー（ＳＬＴ  Ｌａｂｉｎｓｔｒｕｍｅｎｔｓ）を用いて４５０ｎｍで読み取った。結果を、血漿由来の精製したＣ１インヒビター（Ｓｉｇｍａ、Ｅ０５１８）の段階希釈（０〜１３０ｎｇ／ｍｌ）を参照して産出した。（乳汁）サンプルの全ての希釈および結合体は、ＰＢＳ／２％の乳汁／０．１％のＴｗｅｅｎ２０中で調製した。
【００９８】
（ＩＩ．Ｃ１インヒビター活性）
２５μｌの希釈乳汁サンプルを、９６ウェルプレートのウェル中の１．５μｌ／ｍｇのＣ１（Ｋｏｒｄｉａ，Ｔｈｅ  Ｎｅｔｈｅｒｌａｎｄｓ／Ｅｎｚｙｍｅ  Ｒｅｓｅａｒｃｈ  Ｌａｂ．Ｉｎｃ．，ＵＳＡ）２５μｌと共に、６０分間室温でインキュベートした。その後、残存するＣ１活性を１ｍＭのＰｅｆａｃｈｒｏｍｅ（登録商標）Ｃ１Ｅ−５０１９（Ｋｏｒｄｉａ、Ｔｈｅ  Ｎｅｔｈｅｒｌａｎｄｓ／Ｐｅｎｔａｐｈａｒｍ  Ｌｔｄ．，Ｓｗｉｔｚｅｒｌａｎｄ、ＰＦ  ０８７−３１）２５μｌを添加することによって決定した。色素形成基質を添加した直後、４５０ｎｍでの吸光度における変化を、ＢＩＯＬＩＳＥソフトウェア（バージョン１．６５）を使用して、３４０ＡＴＴＣプレートリーダー（ＳＬＴ  Ｌａｂｉｎｓｔｒｕｍｅｎｔｓ）を使用して、４５分間３７℃でモニターした。結果を、血漿精製Ｃ１インヒビター（Ｓｉｇｍａ、Ｅ０５１８）の段階希釈（０〜６μｇ／ｍｌ）によって作成した検量線と関連させた。乳汁サンプルおよびＣ１は、ＰＢＳ／０．１％のＴｗｅｅｎ２０で希釈した。Ｐｅｆａｃｈｒｏｍｅ（登録商標）Ｃ１Ｅ−５０１９は、蒸留水で希釈した。
【００９９】
（付録３）
（異なるＣ１インヒビター調製物の純度を決定するための定量的ＳＤＳ−ＰＡＧＥ）
Ｓｉｇｍａから得たＣ１インヒビター（Ｓｉｇｍａ、Ｅ０５１８）、および異なる精製した組換えＣ１インヒビター調製物を、ＰＢＳ／０．１％のＴｗｅｅｎ２０で希釈し、等容積の非還元サンプル緩衝液（Ｔｒｉｓ−グリシン（ｐＨ６．８）Ｎｏｖｅｘ、ＬＣ２６７６）と混合した。検量サンプルの濃度を、１μｇ／ｍｌと２５ｎｇ／ｍｌとの間で変化させ、そして精製した組換えＣ１インヒビター調製物は、５００μｇ／ｍｌの濃度を有した。それぞれのサンプルの１０μｌを、４〜２０％ＳＤＳ−ＰＡＧＥ（Ｔｒｉｓ−グリシン、Ｎｏｖｅｘ、ＥＣ６０２５２）にアプライし、そして標準の手順に従ってゲルを電気泳動し、そして銀染色した。ゲルの種々の個々のバンドの強度を、Ｆｌｕｏｒ−ＳＴＭＭｕｌｔｉＩｍａｇｅｒ（ＢＩＯ−ＲＡＤ）を使用して測定した。異なる検量サンプルの強度を、ゲルにロードしたタンパク質の量に対してプロットし、そして最適な曲線を、これらの点を通して当てはめた。異なるＣ１インヒビター調製物の不純物の量（ｎｇ）を、この検量線を使用して計算した。サンプルの不純物の割合は、ゲルにロードしたタンパク質の総量と比較した、総不純物の相対的な量である。
【０１００】
【化２】
2014121337.tif 000009
2014121337.tif 000010
2014121337.tif 000011
【図１ａ】
2014121337.tif 000012
【図１ｂ】
2014121337.tif 000013
【配列表】
2014121337000001.app
【外国語明細書】
2014121337000001.pdf